(57)【特許請求の範囲】
【請求項１】
異なるＵＬ−ＤＬ設定を有する２個のセルが割り当てられた端末のアップリンク制御チャネルの送信電力を決定する方法であって、前記方法は、前記端末により実行され、前記方法は、
第１のＵＬ−ＤＬ設定を有する第１のセルのサブフレームｎに対応するダウンリンクサブフレームの個数Ｎ１と、第２のＵＬ−ＤＬ設定を有する第２のセルのサブフレームｎに対応するダウンリンクサブフレームの個数Ｎ２とからより大きい値を選択することと、
前記選択される値に基づいてパラメータ値を決定することと
を含み、
前記パラメータは、前記サブフレームｎにおいて送信される前記アップリンク制御チャネルの送信電力を決定し、ｎ、Ｎ１、及びＮ２は、０以上の整数であり、
前記選択される値は、３または４であり、
前記第１のセルと前記第２のセルのうちの１個のみのセルのサブフレームｎ−ｋにおいて、データチャネルが受信されるか、または、セミパーシステントスケジューリングの解除を指示する制御チャネルが受信される場合、前記パラメータ値は、２であり、それ以外の場合は、前記パラメータ値は、４である、方法。
【請求項２】
前記値ｋは、各ＵＬ−ＤＬ設定及び前記サブフレームｎに対し、以下の表によって決定される、請求項１に記載の方法。
【表１】
0005965069.tif 000046
【請求項３】
前記第１のセルは、前記端末が基地局に対して最初接続確立過程または接続再確立過程を実行するプライマリセルである、請求項１に記載の方法。
【請求項４】
前記第２のセルは、前記プライマリセルに追加されるセカンダリセルである、請求項３に記載の方法。
【請求項５】
前記パラメータ値は、前記第１のセル及び前記第２のセルが前記Ｎ１及び前記Ｎ２のうちの前記より大きい値に対応する同じＵＬ−ＤＬ設定を有する時、前記サブフレームｎにおいて送信されるアップリンク制御チャネルの送信電力を決定するパラメータ値と同じである、請求項１に記載の方法。
【請求項６】
前記第１のＵＬ−ＤＬ設定及び前記第２のＵＬ−ＤＬ設定は、以下の表のＵＬ−ＤＬ設定のうちの２個の異なる設定であり、Ｄはダウンリンクサブフレームを意味し、Ｓはスペシャルサブフレームを意味し、Ｕはアップリンクサブフレームを意味する、請求項１に記載の方法。
【表２】
0005965069.tif 000047
【請求項７】
前記値Ｎ１及びＮ２のうち一つは、４であり、他の値は、０、１または２である、請求項１に記載の方法。
【請求項８】
前記第１のセル及び前記第２のセルは、ＴＤＤ（ｔｉｍｅ  ｄｉｖｉｓｉｏｎ  ｄｕｐｌｅｘ）セルである、請求項１に記載の方法。
【請求項９】
アップリンク制御チャネルの送信電力を決定する装置であって、前記装置は、
無線信号を送受信するＲＦ（Ｒａｄｉｏ  Ｆｒｅｑｕｅｎｃｙ）部と、
前記ＲＦ部と動作可能に連結されたプロセッサと
を含み、
前記プロセッサは、
第１のＵＬ−ＤＬ設定を有する第１のセルのサブフレームｎに対応するダウンリンクサブフレームの個数Ｎ１と、第２のＵＬ−ＤＬ設定を有する第２のセルのサブフレームｎに対応するダウンリンクサブフレームの個数Ｎ２とからより大きい値を選択することと、
前記選択される値に基づいてパラメータ値を決定することと
を実行するように構成され、
前記パラメータは、前記サブフレームｎにおいて送信される前記アップリンク制御チャネルの送信電力を決定し、ｎ、Ｎ１、及びＮ２は、０以上の整数であり、
前記選択される値は、３または４であり、
前記第１のセルと前記第２のセルのうちの１個のみのセルのサブフレームｎ−ｋにおいて、データチャネルが受信されるか、または、セミパーシステントスケジューリングの解除を指示する制御チャネルが受信される場合、前記パラメータ値は、２であり、それ以外の場合は、前記パラメータ値は、４である、装置。
【発明の詳細な説明】
【技術分野】
【０００１】
本発明は、無線通信に関し、より詳しくは、無線通信システムにおいて、アップリンク制御チャネルの送信電力を決定する方法及びその方法を利用する装置に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ−Ａ（ｌｏｎｇ  ｔｅｒｍ  ｅｖｏｌｕｔｉｏｎ−ａｄｖａｎｃｅｄ）では複数のキャリアをアグリゲーションして端末に割り当てるキャリアアグリゲーション（ｃａｒｒｉｅｒ  ａｇｇｒｅｇａｔｉｏｎ）がサポートされる。
【０００３】
キャリアアグリゲーションに使われるキャリアは、ＴＤＤ（ｔｉｍｅ  ｄｉｖｉｓｉｏｎ  ｄｕｐｌｅｘ）方式のフレーム（ＴＤＤフレーム）構造を使用するキャリアである。ＴＤＤフレームは、多様なアップリンク−ダウンリンク設定（ｕｐｌｉｎｋ−ｄｏｗｎｌｉｎｋ  ｃｏｎｆｉｇｕｒａｔｉｏｎ：ＵＬ−ＤＬ  ｃｏｎｆｉｇｕｒａｔｉｏｎ）を有することができる。ＴＤＤにおいて、従来キャリアアグリゲーションは、各キャリアのＵＬ−ＤＬ設定が同じであることを前提としていたが、最近互いに異なるＵＬ−ＤＬ設定を有するキャリアをアグリゲーションすることも考慮している。
【０００４】
一方、無線通信システムでは、ＨＡＲＱ（ｈｙｂｒｉｄ  ａｕｔｏｍａｔｉｃ  ｒｅｐｅａｔ  ｒｅｑｕｅｓｔ）を使用することができる。ＨＡＲＱは、送信機がデータを送信した後、前記データに対する受信確認情報であるＡＣＫ／ＮＡＣＫ（ａｃｋｎｏｗｌｅｄｇｅｍｅｎｔ／ｎｏｔ−ａｃｋｎｏｗｌｅｄｇｅｍｅｎｔ）を受信し、前記ＡＣＫ／ＮＡＣＫによって新しいデータを送信し、または既送信したデータを再送信する技法である。
【０００５】
ＡＣＫ／ＮＡＣＫは、アップリンク制御チャネルを介して送信されることができる。この場合、アップリンク制御チャネルの送信電力は、ＰＵＣＣＨ（ｐｈｙｓｉｃａｌ  ｕｐｌｉｎｋ  ｃｏｎｔｒｏｌ  ｃｈａｎｎｅｌ）フォーマットに従属的なパラメータに基づいて決定されることができる。ＴＤＤにおいて、前記パラメータは、ＡＣＫ／ＮＡＣＫが送信されるアップリンクサブフレームに対応されるダウンリンクサブフレームの個数（これをＭと表示）によって異なるように定義されることができる。
【０００６】
しかし、ＴＤＤにおいて、互いに異なるＵＬ−ＤＬ設定を有するキャリアがアグリゲーションされる場合、各キャリアの同じアップリンクサブフレームでＭ値が変わることができる。したがって、これを考慮したアップリンク制御チャネルの送信電力決定方法が要求される。
【発明の概要】
【発明が解決しようとする課題】
【０００７】
無線通信システムにおいて、アップリンク制御チャネルの送信電力を決定する方法及び装置を提供することを目的とする。
【課題を解決するための手段】
【０００８】
一側面において、互いに異なるＵＬ−ＤＬ設定を有する２個のセルが基地局により割り当てられた端末のアップリンク制御チャネルの送信電力決定方法を提供する。前記方法は、第１のＵＬ−ＤＬ設定を有する第１のセルのサブフレームｎに対応されるダウンリンクサブフレームの個数Ｎ１と、第２のＵＬ−ＤＬ設定を有する第２のセルの前記サブフレームｎに対応されるダウンリンクサブフレームの個数Ｎ２のうち大きい値を選択し、及び前記選択された値に基づいてパラメータ値を決定し、前記パラメータは、前記サブフレームｎで送信されるアップリンク制御チャネルの送信電力を決定するパラメータであることを特徴とする。
【０００９】
他の側面で提供されるアップリンク制御チャネルの送信電力を決定する装置は、無線信号を送受信するＲＦ部；及び、前記ＲＦ部と連結されたプロセッサ；を含み、前記プロセッサは、第１のＵＬ−ＤＬ設定を有する第１のセルのサブフレームｎに対応されるダウンリンクサブフレームの個数Ｎ１と、第２のＵＬ−ＤＬ設定を有する第２のセルの前記サブフレームｎに対応されるダウンリンクサブフレームの個数Ｎ２のうち大きい値を選択し、及び前記選択された値に基づいてパラメータ値を決定し、前記パラメータは、前記サブフレームｎで送信されるアップリンク制御チャネルの送信電力を決定するパラメータであることを特徴とする。
例えば、本願発明は以下の項目を提供する。
（項目１）
互いに異なるＵＬ−ＤＬ設定を有する２個のセルが基地局により割り当てられた端末のアップリンク制御チャネルの送信電力決定方法において、
第１のＵＬ−ＤＬ設定を有する第１のセルのサブフレームｎに対応されるダウンリンクサブフレームの個数Ｎ１と、第２のＵＬ−ＤＬ設定を有する第２のセルの前記サブフレームｎに対応されるダウンリンクサブフレームの個数Ｎ２のうち大きい値を選択し、及び、
前記選択された値に基づいてパラメータ値を決定し、
前記パラメータは、前記サブフレームｎで送信されるアップリンク制御チャネルの送信電力を決定するパラメータであることを特徴とする方法。
ただ、ｎ、Ｎ１、Ｎ２は、０以上の整数。
（項目２）
前記選択された値は、３または４であることを特徴とする項目１に記載の方法。
（項目３）
前記パラメータ値は、前記第１のセル及び前記第２のセルのうち１個のセルのサブフレームｎ−ｋで、データチャネルまたはセミパーシステントスケジューリングの解除を指示する制御チャネルを受信した場合、２であり、その以外の場合、４であることを特徴とする項目２に記載の方法。
（項目４）
前記ｋは、各ＵＬ−ＤＬ設定及びサブフレームｎに対し、以下の表のように決定されることを特徴とする項目３に記載の方法。
【表１４】
0005965069.tif 000002
（項目５）
前記第１のセルは、前記端末が前記基地局との最初接続確立過程（ｉｎｉｔｉａｌ  ｃｏｎｎｅｃｔｉｏｎ  ｅｓｔａｂｌｉｓｈｍｅｎｔ  ｐｒｏｃｅｄｕｒｅ）または接続再確立過程を実行するプライマリセルであることを特徴とする項目１に記載の方法。
（項目６）
前記第２のセルは、前記プライマリセルに追加されるセカンダリセルであることを特徴とする項目５に記載の方法。
（項目７）
前記パラメータ値は、前記第１のセル及び前記第２のセルが前記Ｎ１及び前記Ｎ２のうち大きい値に対応されるＵＬ−ＤＬ設定を同じく有する時の、前記サブフレームｎで送信されるアップリンク制御チャネルの送信電力を決定するパラメータ値と同じであることを特徴とする項目１に記載の方法。
（項目８）
前記第１のＵＬ−ＤＬ設定及び前記第２のＵＬ−ＤＬ設定は、以下の表のＵＬ−ＤＬ設定のうち互いに異なる２個であることを特徴とする項目１に記載の方法。
【表１５】
0005965069.tif 000003
ただ、前記表において、Ｄはダウンリンクサブフレーム、Ｓはスペシャルサブフレーム、Ｕはアップリンクサブフレームを意味する。
（項目９）
前記Ｎ１及びＮ２値のうち一つは、３または４であり、他の一つは、０、１または２であることを特徴とする項目１に記載の方法。
（項目１０）
前記第１のセル及び前記第２のセルは、ＴＤＤ（ｔｉｍｅ  ｄｉｖｉｓｉｏｎ  ｄｕｐｌｅｘ）セルであることを特徴とする項目１に記載の方法。
（項目１１）
アップリンク制御チャネルの送信電力を決定する装置は、
無線信号を送受信するＲＦ部；及び、
前記ＲＦ部と連結されたプロセッサ；を含み、
前記プロセッサは、第１のＵＬ−ＤＬ設定を有する第１のセルのサブフレームｎに対応されるダウンリンクサブフレームの個数Ｎ１と、第２のＵＬ−ＤＬ設定を有する第２のセルの前記サブフレームｎに対応されるダウンリンクサブフレームの個数Ｎ２のうち大きい値を選択し、及び、
前記選択された値に基づいてパラメータ値を決定し、
前記パラメータは、前記サブフレームｎで送信されるアップリンク制御チャネルの送信電力を決定するパラメータであることを特徴とする装置。
【発明の効果】
【００１０】
互いに異なるＵＬ−ＤＬ設定を有する複数のセルが割り当てられた端末がセル別に互いに異なる個数のＤＬサブフレームに対するＡＣＫ／ＮＡＣＫをＰＵＣＣＨを介して送信する場合、効果的に送信電力を割り当てることができる。
【図面の簡単な説明】
【００１１】
【図１】３ＧＰＰ  ＬＴＥにおけるＦＤＤ（ｆｒｅｑｕｅｎｃｙ  ｄｉｖｉｓｉｏｎ  ｄｕｐｌｅｘ）無線フレームの構造を示す。
【図２】３ＧＰＰ  ＬＴＥにおけるＴＤＤ（ｔｉｍｅ  ｄｉｖｉｓｉｏｎ  ｄｕｐｌｅｘ）無線フレームの構造を示す。
【図３】一つのダウンリンクスロットに対するリソースグリッド（ｒｅｓｏｕｒｃｅ  ｇｒｉｄ）の一例を示す。
【図４】ダウンリンクサブフレームを示す。
【図５】アップリンクサブフレームの構造を示す。
【図６】ノーマルＣＰでの一つのスロットに対するＰＵＣＣＨフォーマット２／２ａ／２ｂのチャネル構造を示す。
【図７】ノーマルＣＰでの一つのスロットに対するＰＵＣＣＨフォーマット１ａ／１ｂを示す。
【図８】ＰＵＣＣＨフォーマット３のチャネル構造を例示する。
【図９】同期化ＨＡＲＱを例示する。
【図１０】既存の単一キャリアシステムとキャリアアグリゲーションシステムの比較例である。
【図１１】Ｅ−ＰＤＣＣＨ割当の一例を示す。
【図１２】互いに異なるＵＬ−ＤＬ設定を使用するセルのアグリゲーションでＡＣＫ／ＮＡＣＫタイミングを示す例である。
【図１３】プライマリセルとセカンダリセルでセル特定的ＵＬ−ＤＬ設定及び基準ＵＬ−ＤＬ設定の例を示す。
【図１４】プライマリセルとセカンダリセルでセル特定的ＵＬ−ＤＬ設定及び基準ＵＬ−ＤＬ設定の例を示す。
【図１５】無効ＤＬサブフレームと有効ＤＬサブフレームを区分する例を示す。
【図１６】本発明の一実施例に係るＰＵＣＣＨ送信電力決定方法を例示する。
【図１７】本発明の実施例に係る基地局及び端末の構成を示す。
【発明を実施するための形態】
【００１２】
端末（Ｕｓｅｒ  Ｅｑｕｉｐｍｅｎｔ、ＵＥ）は、固定されてもよいし、移動性を有してもよく、ＭＳ（ｍｏｂｉｌｅ  ｓｔａｔｉｏｎ）、ＭＴ（ｍｏｂｉｌｅ  ｔｅｒｍｉｎａｌ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることもある。
【００１３】
基地局は、一般的に端末と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００１４】
図１は、３ＧＰＰ  ＬＴＥにおけるＦＤＤ（ｆｒｅｑｕｅｎｃｙ  ｄｉｖｉｓｉｏｎ  ｄｕｐｌｅｘ）無線フレームの構造を示す。これは３ＧＰＰ  ＴＳ  ３６．２１１  Ｖ８．７．０（２００９−０５）“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ  ８）”の４節を参照することができる。
【００１５】
前記無線フレーム（ｒａｄｉｏ  ｆｒａｍｅ）は、０〜９のインデックスが付けられた１０個のサブフレームを含む。１個のサブフレーム（サブフレーム）は、２個の連続的なスロットを含む。１個のサブフレームの送信にかかる時間をＴＴＩ（ｔｒａｎｓｍｉｓｓｉｏｎ  ｔｉｍｅ  ｉｎｔｅｒｖａｌ）といい、例えば、１個のサブフレームの長さは１ｍｓ（ｍｉｌｌｉ−ｓｅｃｏｎｄ）であり、一個のスロットの長さは０．５ｍｓである。
【００１６】
図２は、３ＧＰＰ  ＬＴＥにおけるＴＤＤ（ｔｉｍｅ  ｄｉｖｉｓｉｏｎ  ｄｕｐｌｅｘ）無線フレームの構造を示す。一個の無線フレームの時間区間は、３０７２００・Ｔｓ＝１０ｍｉｌｌｉ−ｓｅｃｏｎｄ（ｍｓ）の関係にある。
【００１７】
ＴＤＤ無線フレームには、ダウンリンク（ｄｏｗｎｌｉｎｋ：ＤＬ）サブフレーム、アップリンク（Ｕｐｌｉｎｋ：ＵＬ）サブフレーム、スペシャルサブフレーム（ｓｐｅｃｉａｌサブフレーム、Ｓサブフレーム）が共存できる。
【００１８】
表１は、無線フレームのアップリンク−ダウンリンク設定（ＵＬ−ＤＬ  ｃｏｎｆｉｇｕｒａｔｉｏｎ）の一例を示す。
【００１９】
【表１】
0005965069.tif 000004
【００２０】
前記表において、‘Ｄ’はＤＬサブフレームを示し、‘Ｕ’はＵＬサブフレームを示し、‘Ｓ’はスペシャルサブフレームを示す。端末は、基地局からＵＬ−ＤＬ設定を受信すると、ＵＬ−ＤＬ設定によって無線フレーム内でどのサブフレームがＤＬサブフレームか、またはＵＬサブフレームかを知ることができる。ＵＬ−ＤＬ設定は、上位階層信号、システム情報に含まれて送信されることができる。
【００２１】
一方、無線フレーム内の１０個のサブフレームが０から９までインデキシングされるとする時、サブフレームインデックス＃１及び＃６を有するサブフレームは、スペシャルサブフレームである。スペシャルサブフレームは、ＤｗＰＴＳ（Ｄｏｗｎｌｉｎｋ  Ｐｉｌｏｔ  Ｔｉｍｅ  Ｓｌｏｔ：ＤｗＰＴＳ）、ＧＰ（Ｇｕａｒｄ  Ｐｅｒｉｏｄ）及びＵｐＰＴＳ（Ｕｐｌｉｎｋ  Ｐｉｌｏｔ  Ｔｉｍｅ  Ｓｌｏｔ）を含む。ＤｗＰＴＳは、端末での初期セル探索、同期化またはチャネル推定に使われる。ＵｐＰＴＳは、基地局でのチャネル推定と端末のアップリンク送信同期を合わせるときに使われる。ＧＰは、アップリンクとダウンリンクとの間にダウンリンク信号の多重経路の遅延によりアップリンクで発生する干渉を除去するための区間である。
【００２２】
図３は、一つのダウンリンクスロットに対するリソースグリッド（ｒｅｓｏｕｒｃｅ  ｇｒｉｄ）の一例を示す。
【００２３】
図３を参照すると、ダウンリンクスロットは、時間領域で複数のＯＦＤＭシンボルを含み、周波数領域でＮＲＢ個のリソースブロック（ＲＢ；Ｒｅｓｏｕｒｃｅ  Ｂｌｏｃｋ）を含む。リソースブロックは、リソース割当単位であり、時間領域で一個のスロットを含み、周波数領域で複数の連続する副搬送波（ｓｕｂｃａｒｒｉｅｒ）を含む。ダウンリンクスロットに含まれるリソースブロックの数ＮＲＢは、セルで設定されるダウンリンク送信帯域幅（ｂａｎｄｗｉｄｔｈ）に従属する。例えば、ＬＴＥシステムにおいて、ＮＲＢは、６〜１１０のうちいずれか一つである。アップリンクスロットの構造も前記ダウンリンクスロットの構造と同じである。
【００２４】
一方、リソースグリッド上の各要素（ｅｌｅｍｅｎｔ）をリソース要素（ｒｅｓｏｕｒｃｅ  ｅｌｅｍｅｎｔ、ＲＥ）という。リソースグリッド上のリソース要素は、スロット内のインデックス対（ｐａｉｒ）（ｋ，ｌ）により識別されることができる。ここで、ｋ（ｋ＝０，．．．，ＮＲＢ×１２−１）は、副搬送波インデックスであり、ｌ（ｌ＝０，．．．，６）は、スロット内のＯＦＤＭシンボルインデックスである。
【００２５】
図３において、一つのリソースブロックは、時間領域で７ＯＦＤＭシンボルと、周波数領域で１２副搬送波とで構成されることによって、７×１２リソース要素を含むことを例示的に記述するが、リソースブロック内のＯＦＤＭシンボルの数と副搬送波の数は、これに制限されるものではない。ノーマルＣＰで、１スロットは７ＯＦＤＭシンボルを含み、拡張（ｅｘｔｅｎｄｅｄ）ＣＰで、１スロットは６ＯＦＤＭシンボルを含むことができる。ＯＦＤＭシンボルの数と副搬送波の数は、ＣＰの長さ、周波数間隔（ｆｒｅｑｕｅｎｃｙ  ｓｐａｃｉｎｇ）などによって多様に変更されることができる。一つのＯＦＤＭシンボルで、副搬送波の数は、１２８、２５６、５１２、１０２４、１５３６及び２０４８のうち一つを選定して使用することができる。
【００２６】
図４は、ダウンリンクサブフレームを示す。
【００２７】
ダウンリンク（ｄｏｗｎｌｉｎｋ：ＤＬ）サブフレームは、時間領域で制御領域（ｃｏｎｔｒｏｌ  ｒｅｇｉｏｎ）とデータ領域（ｄａｔａ  ｒｅｇｉｏｎ）とに分けられる。制御領域は、サブフレーム内の第１のスロットの前方部の最大４個のＯＦＤＭシンボルを含むが、制御領域に含まれるＯＦＤＭシンボルの個数は変わることができる。制御領域には、ＰＤＣＣＨ（Ｐｈｙｓｉｃａｌ  Ｄｏｗｎｌｉｎｋ  Ｃｏｎｔｒｏｌ  Ｃｈａｎｎｅｌ）及び他の制御チャネルが割り当てられ、データ領域には、ＰＤＳＣＨが割り当てられる。
【００２８】
３ＧＰＰ  ＴＳ  ３６．２１１  Ｖ１０．２．０に開示されているように、３ＧＰＰ  ＬＴＥ／ＬＴＥ−Ａで、物理制御チャネルは、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）がある。
【００２９】
サブフレームの１番目のＯＦＤＭシンボルで送信されるＰＣＦＩＣＨは、サブフレーム内で制御チャネルの送信に使われるＯＦＤＭシンボルの数（即ち、制御領域の大きさ）に対するＣＦＩ（ｃｏｎｔｒｏｌ  ｆｏｒｍａｔ  ｉｎｄｉｃａｔｏｒ）を伝送する。無線機器は、まず、ＰＣＦＩＣＨ上にＣＦＩを受信した後、ＰＤＣＣＨをモニタリングする。ＰＤＣＣＨと違って、ＰＣＦＩＣＨは、ブラインドデコーディングを使用せずに、サブフレームの固定されたＰＣＦＩＣＨリソースを介して送信される。
【００３０】
ＰＨＩＣＨは、アップリンク（ｕｐｌｉｎｋ：ＵＬ）ＨＡＲＱ（ｈｙｂｒｉｄ  ａｕｔｏｍａｔｉｃ  ｒｅｐｅａｔ  ｒｅｑｕｅｓｔ）プロセスのためのＡＣＫ（ａｃｋｎｏｗｌｅｄｇｅｍｅｎｔ）／ＮＡＣＫ（ｎｏｔ−ａｃｋｎｏｗｌｅｄｇｅｍｅｎｔ）信号を伝送する。端末により送信されるＰＵＳＣＨ上のＵＬ（ｕｐｌｉｎｋ）データに対するＡＣＫ／ＮＡＣＫ信号は、ＰＨＩＣＨ上に基地局により送信される。
【００３１】
ＰＢＣＨ（Ｐｈｙｓｉｃａｌ  Ｂｒｏａｄｃａｓｔ  Ｃｈａｎｎｅｌ）は、無線フレームの１番目のサブフレームの第２のスロットの前方部の４個のＯＦＤＭシンボルで送信される。ＰＢＣＨは、無線機器が基地局と通信するときに必須なシステム情報を伝送し、ＰＢＣＨを介して送信されるシステム情報をＭＩＢ（ｍａｓｔｅｒ  ｉｎｆｏｒｍａｔｉｏｎ  ｂｌｏｃｋ）という。これと比較して、ＰＤＣＣＨにより指示されるＰＤＳＣＨ上に送信されるシステム情報をＳＩＢ（ｓｙｓｔｅｍ  ｉｎｆｏｒｍａｔｉｏｎ  ｂｌｏｃｋ）という。
【００３２】
ＰＤＣＣＨを介して送信される制御情報をダウンリンク制御情報（ｄｏｗｎｌｉｎｋ  ｃｏｎｔｒｏｌ  ｉｎｆｏｒｍａｔｉｏｎ、ＤＣＩ）という。ＤＣＩは、ＰＤＳＣＨのリソース割当（これをＤＬグラント（ｄｏｗｎｌｉｎｋ  ｇｒａｎｔ）またはＤＬ割当（ＤＬ  ａｓｓｉｇｎｍｅｎｔ）ともいう）、ＰＵＳＣＨのリソース割当（これをＵＬグラント（ｕｐｌｉｎｋ  ｇｒａｎｔ）ともいう）、任意のＵＥグループ内の個別ＵＥに対する送信パワー制御命令の集合及び／またはＶｏＩＰ（Ｖｏｉｃｅ  ｏｖｅｒ  Ｉｎｔｅｒｎｅｔ  Ｐｒｏｔｏｃｏｌ）の活性化を含むことができる。
【００３３】
３ＧＰＰ  ＬＴＥ／ＬＴＥ−Ａで、ＤＬ送信ブロックの送信は、ＰＤＣＣＨとＰＤＳＣＨの対で実行される。ＵＬ送信ブロックの送信は、ＰＤＣＣＨとＰＵＳＣＨの対で実行される。例えば、無線機器は、ＰＤＣＣＨにより指示されるＰＤＳＣＨ上にＤＬ送信ブロックを受信する。無線機器は、ＤＬサブフレームでＰＤＣＣＨをモニタリングし、ＤＬリソース割当をＰＤＣＣＨ上に受信する。無線機器は、前記ＤＬリソース割当が指示するＰＤＳＣＨ上にＤＬ送信ブロックを受信する。
【００３４】
基地局は、無線機器に送るＤＣＩによって、ＰＤＣＣＨフォーマットを決定した後、ＤＣＩにＣＲＣ（Ｃｙｃｌｉｃ  Ｒｅｄｕｎｄａｎｃｙ  Ｃｈｅｃｋ）を付け、ＰＤＣＣＨのオーナ（ｏｗｎｅｒ）や用途によって、固有な識別子（これをＲＮＴＩ（Ｒａｄｉｏ  Ｎｅｔｗｏｒｋ  Ｔｅｍｐｏｒａｒｙ  Ｉｄｅｎｔｉｆｉｅｒ）という）をＣＲＣにマスキングする。
【００３５】
特定無線機器のためのＰＤＣＣＨの場合、無線機器の固有識別子、例えば、Ｃ−ＲＮＴＩ（Ｃｅｌｌ−ＲＮＴＩ）がＣＲＣにマスキングされることができる。または、ページングメッセージのためのＰＤＣＣＨの場合、ページング指示識別子、例えば、Ｐ−ＲＮＴＩ（Ｐａｇｉｎｇ−ＲＮＴＩ）がＣＲＣにマスキングされることができる。システム情報のためのＰＤＣＣＨの場合、システム情報識別子、ＳＩ−ＲＮＴＩ（ｓｙｓｔｅｍ  ｉｎｆｏｒｍａｔｉｏｎ−ＲＮＴＩ）がＣＲＣにマスキングされることができる。ランダムアクセスプリアンブルの送信に対する応答であるランダムアクセス応答を指示するためにＲＡ−ＲＮＴＩ（ｒａｎｄｏｍ  ａｃｃｅｓｓ−ＲＮＴＩ）がＣＲＣにマスキングされることができる。複数の無線機器に対するＴＰＣ（ｔｒａｎｓｍｉｔ  ｐｏｗｅｒ  ｃｏｎｔｒｏｌ）命令を指示するために、ＴＰＣ−ＲＮＴＩがＣＲＣにマスキングされることができる。セミパーシステントスケジューリング（ｓｅｍｉ−ｐｅｒｓｉｓｔｅｎｔ  ｓｃｈｅｄｕｌｉｎｇ：ＳＰＳ）のためのＰＤＣＣＨには、ＳＰＳ−Ｃ−ＲＮＴＩがＣＲＣにマスキングされることができる。ＳＰＳに対しては後述する。
【００３６】
Ｃ−ＲＮＴＩ系列（例えば、Ｃ−ＲＮＴＩ、ＳＰＳ−Ｃ−ＲＮＴＩ、Ｔｅｍｐｏｒａｒｙ  Ｃ−ＲＮＴＩ）が使われると、ＰＤＣＣＨは、該当する特定無線機器のための制御情報（これを端末特定（ＵＥ−ｓｐｅｃｉｆｉｃ）制御情報という）を伝送し、他のＲＮＴＩが使われると、ＰＤＣＣＨは、セル内の全てまたは複数の無線機器が受信する共用（ｃｏｍｍｏｎ）制御情報を伝送する。
【００３７】
ＣＲＣが付加されたＤＣＩをエンコーディングすることで符号化されたデータ（ｃｏｄｅｄ  ｄａｔａ）を生成する。エンコーディングは、チャネルエンコーディングとレートマッチング（ｒａｔｅ  ｍａｔｃｈｉｎｇ）とを含む。符号化されたデータは、変調されることによって、変調シンボルが生成される。変調シンボルは、物理的なＲＥ（ｒｅｓｏｕｒｃｅ  ｅｌｅｍｅｎｔ）にマッピングされる。
【００３８】
サブフレーム内の制御領域は、複数の制御チャネル要素（ｃｏｎｔｒｏｌ  ｃｈａｎｎｅｌ  ｅｌｅｍｅｎｔ：ＣＣＥ）を含む。ＣＣＥは、無線チャネルの状態による符号化率をＰＤＣＣＨに提供するために使われる論理的割当単位であり、複数のリソース要素グループ（ｒｅｓｏｕｒｃｅ  ｅｌｅｍｅｎｔ  ｇｒｏｕｐ：ＲＥＧ）に対応される。ＲＥＧは、複数のリソース要素（ｒｅｓｏｕｒｃｅ  ｅｌｅｍｅｎｔ：ＲＥ）を含む。ＣＣＥの数とＣＣＥにより提供される符号化率の関係によって、ＰＤＣＣＨのフォーマット及び可能なＰＤＣＣＨのビット数が決定される。
【００３９】
一つのＲＥＧは、４個のＲＥを含み、一つのＣＣＥは、９個のＲＥＧを含む。一つのＰＤＣＣＨを構成するために｛１，２，４，８｝個のＣＣＥを使用することができ、｛１，２，４，８｝の各々の要素をＣＣＥアグリゲーションレベル（ａｇｇｒｅｇａｔｉｏｎ  ｌｅｖｅｌ）という。
【００４０】
ＰＤＤＣＨの送信に使われるＣＣＥの個数は、基地局がチャネル状態によって決定する。例えば、良いダウンリンクチャネル状態を有する無線機器には、一つのＣＣＥをＰＤＣＣＨ送信に使用することができる。悪い（ｐｏｏｒ）ダウンリンクチャネル状態を有する無線機器には、８個のＣＣＥをＰＤＣＣＨ送信に使用することができる。
【００４１】
一つまたはそれ以上のＣＣＥで構成された制御チャネルは、ＲＥＧ単位のインターリービングを実行し、セルＩＤ（ｉｄｅｎｔｉｆｉｅｒ）に基づく循環シフト（ｃｙｃｌｉｃ  ｓｈｉｆｔ）が実行された後に物理的リソースにマッピングされる。
【００４２】
図５は、アップリンクサブフレームの構造を示す。
【００４３】
図５を参照すると、アップリンクサブフレームは、周波数領域で制御領域とデータ領域とに分けられる。制御領域には、アップリンク制御情報が送信されるためのＰＵＣＣＨ（Ｐｈｙｓｉｃａｌ  Ｕｐｌｉｎｋ  Ｃｏｎｔｒｏｌ  Ｃｈａｎｎｅｌ）が割り当てられる。データ領域には、データ（場合によって、制御情報も共に送信されることができる）が送信されるためのＰＵＳＣＨ（Ｐｈｙｓｉｃａｌ  Ｕｐｌｉｎｋ  Ｓｈａｒｅｄ  Ｃｈａｎｎｅｌ）が割り当てられる。設定によって、端末は、ＰＵＣＣＨとＰＵＳＣＨを同時に送信することもでき、ＰＵＣＣＨとＰＵＳＣＨのうちいずれか一つのみを送信することもできる。
【００４４】
一つの端末に対するＰＵＣＣＨは、サブフレームでリソースブロック対（ＲＢ  ｐａｉｒ）で割り当てられる。リソースブロック対に属するリソースブロックは、第１のスロットと第２のスロットの各々で互いに異なる副搬送波を占める。ＰＵＣＣＨに割り当てられるリソースブロック対に属するリソースブロックが占める周波数は、スロット境界（ｓｌｏｔ  ｂｏｕｎｄａｒｙ）を基準にして変更される。これをＰＵＣＣＨに割り当てられるＲＢ対がスロット境界で周波数がホッピングされた（ｆｒｅｑｕｅｎｃｙ−ｈｏｐｐｅｄ）という。アップリンク制御情報を、時間によって、互いに異なる副搬送波を介して送信することによって、周波数ダイバーシティ利得を得ることができる。
【００４５】
ＰＵＣＣＨ上には、ＨＡＲＱ  ＡＣＫ／ＮＡＣＫ（以下、単純にＡＣＫ／ＮＡＣＫまたはＨＡＲＱ−ＡＣＫと表示する）、ダウンリンクチャネル状態を示すチャネル状態情報（ｃｈａｎｎｅｌ  ｓｔａｔｕｓ  ｉｎｆｏｒｍａｔｉｏｎ、ＣＳＩ）、例えば、ＣＱＩ（Ｃｈａｎｎｅｌ  Ｑｕａｌｉｔｙ  Ｉｎｄｉｃａｔｏｒ）、ＰＭＩ（ｐｒｅｃｏｄｉｎｇ  ｍａｔｒｉｘ  ｉｎｄｅｘ）、ＰＴＩ（ｐｒｅｃｏｄｉｎｇ  ｔｙｐｅ  ｉｎｄｉｃａｔｏｒ）、ＲＩ（ｒａｎｋ  ｉｎｄｉｃａｔｉｏｎ）などが送信されることができる。
【００４６】
ＣＱＩは、与えられた時間に対して端末がサポートできるリンク適応的なパラメータに対する情報を提供する。ＣＱＩは、端末受信機の特性及びＳＩＮＲ（ｓｉｇｎａｌ  ｔｏ  ｉｎｔｅｒｆｅｒｅｎｃｅ  ｐｌｕｓ  ｎｏｉｓｅ  ｒａｔｉｏ）などを考慮してダウンリンクチャネルによりサポートされることができるデータ率（ｄａｔａ  ｒａｔｅ）を指示することができる。基地局は、ＣＱＩを利用してダウンリンクチャネルに適用される変調（ＱＰＳＫ、１６−ＱＡＭ、６４−ＱＡＭ等）及びコーディング率を決定することができる。ＣＱＩは、多様な方法により生成することができる。例えば、チャネル状態をそのまま量子化してフィードバックする方法、ＳＩＮＲ（ｓｉｇｎａｌ  ｔｏ  ｉｎｔｅｒｆｅｒｅｎｃｅ  ｐｌｕｓ  ｎｏｉｓｅ  ｒａｔｉｏ）を計算してフィードバックする方法、ＭＣＳ（Ｍｏｄｕｌａｔｉｏｎ  Ｃｏｄｉｎｇ  Ｓｃｈｅｍｅ）のようにチャネルに実際適用される状態を知らせる方法などがある。ＣＱＩがＭＣＳに基づいて生成される場合、ＭＣＳは、変調方式と符号化方式、及びこれによる符号化率（ｃｏｄｉｎｇ  ｒａｔｅ）等を含む。
【００４７】
ＰＭＩは、コードブックベースのプリコーディングでプリコーディング行列に対する情報を提供する。ＰＭＩは、ＭＩＭＯ（ｍｕｌｔｉｐｌｅ  ｉｎｐｕｔ  ｍｕｌｔｉｐｌｅ  ｏｕｔｐｕｔ）と関連する。ＭＩＭＯでＰＭＩがフィードバックされることを閉ループＭＩＭＯ（ｃｌｏｓｅｄ  ｌｏｏｐ  ＭＩＭＯ）という。
【００４８】
ＲＩは、端末が推薦するランク（ｒａｎｋ）（即ち、レイヤ（ｌａｙｅｒ）の個数）に対する情報である。即ち、ＲＩは、空間多重化に使われる独立的なストリームの数を示す。ＲＩは、端末が空間多重化を使用するＭＩＭＯモードで動作する場合にのみフィードバックされる。ＲＩは、常に一つ以上のＣＱＩフィードバックと関連する。即ち、フィードバックされるＣＱＩは、特定のＲＩ値を仮定して計算される。チャネルのランク（ｒａｎｋ）は、一般的にＣＱＩより遅く変化するため、ＲＩは、ＣＱＩより少ない回数でフィードバックされる。ＲＩの送信周期は、ＣＱＩ／ＰＭＩ送信周期の倍数である。ＲＩは、全体システム帯域に対して与えられ、周波数選択的なＲＩフィードバックは、サポートされない。
【００４９】
ＰＵＣＣＨは、フォーマット（ｆｏｒｍａｔ）によって、多様な種類の制御情報を伝送する。ＰＵＣＣＨフォーマット１は、スケジューリング要求（ＳＲ；Ｓｃｈｅｄｕｌｉｎｇ  Ｒｅｑｕｅｓｔ）を伝送する。このとき、ＯＯＫ（Ｏｎ−Ｏｆｆ  Ｋｅｙｉｎｇ）方式が適用されることができる。ＰＵＣＣＨフォーマット１ａは、一つのコードワード（ｃｏｄｅｗｏｒｄ）に対してＢＰＳＫ（Ｂｉｎａｒｙ  Ｐｈａｓｅ  Ｓｈｉｆｔ  Ｋｅｙｉｎｇ）方式に変調されたＡＣＫ／ＮＡＣＫを伝送する。ＰＵＣＣＨフォーマット１ｂは、２個のコードワードに対してＱＰＳＫ（Ｑｕａｄｒａｔｕｒｅ  Ｐｈａｓｅ  Ｓｈｉｆｔ  Ｋｅｙｉｎｇ）方式に変調されたＡＣＫ／ＮＡＣＫを伝送する。ＰＵＣＣＨフォーマット２は、ＱＰＳＫ方式に変調されたＣＱＩ（Ｃｈａｎｎｅｌ  Ｑｕａｌｉｔｙ  Ｉｎｄｉｃａｔｏｒ）を伝送する。ＰＵＣＣＨフォーマット２ａと２ｂは、ＣＱＩとＡＣＫ／ＮＡＣＫを伝送する。
【００５０】
ＰＵＣＣＨフォーマットは、変調方式とサブフレーム当たり送信可能なビット個数によって区分されることができる。表２は、ＰＵＣＣＨフォーマットによる変調方式とサブフレーム内のビットの個数を示す。
【００５１】
【表２】
0005965069.tif 000005
【００５２】
全てのＰＵＣＣＨフォーマットは、各ＯＦＤＭシンボルでシーケンスの循環シフト（ｃｙｃｌｉｃ  ｓｈｉｆｔ、ＣＳ）を使用する。循環シフトされたシーケンスは、基本シーケンス（ｂａｓｅ  ｓｅｑｕｅｎｃｅ）を特定ＣＳ量（ｃｙｃｌｉｃ  ｓｈｉｆｔ  ａｍｏｕｎｔ）ほど循環シフトさせて生成される。特定ＣＳ量は、循環シフトインデックス（ＣＳ  ｉｎｄｅｘ）により指示される。
【００５３】
基本シーケンスｒｕ（ｎ）を定義した一例は、以下の数式の通りである。
【００５４】
【数１】
0005965069.tif 000006
【００５５】
ここで、ｕはルートインデックス（ｒｏｏｔ  ｉｎｄｅｘ）であり、ｎは要素インデックスであり、０≦ｎ≦Ｎ−１、Ｎは基本シーケンスの長さである。ｂ（ｎ）は、３ＧＰＰ  ＴＳ  ３６．２１１  Ｖ８．７．０の５．５節で定義されている。
【００５６】
シーケンスの長さは、シーケンスに含まれる要素（ｅｌｅｍｅｎｔ）の数と同じである。ｕは、セルＩＤ（ｉｄｅｎｔｉｆｉｅｒ）、無線フレーム内のスロット番号などにより決められることができる。基本シーケンスが周波数領域で一つのリソースブロックにマッピング（ｍａｐｐｉｎｇ）されるとする時、一つのリソースブロックが１２副搬送波を含むため、基本シーケンスの長さＮは１２になる。異なるルートインデックスによって異なる基本シーケンスが定義される。
【００５７】
基本シーケンスｒ（ｎ）を以下の数式２のように循環シフトさせ、循環シフトされたシーケンスｒ（ｎ，Ｉｃｓ）を生成することができる。
【００５８】
【数２】
0005965069.tif 000007
【００５９】
ここで、Ｉｃｓは、ＣＳ量を示す循環シフトインデックスである（０≦Ｉｃｓ≦Ｎ−１）。
【００６０】
基本シーケンスの可用（ａｖａｉｌａｂｌｅ）循環シフトインデックスは、ＣＳ間隔（ＣＳ  ｉｎｔｅｒｖａｌ）によって、基本シーケンスから得る（ｄｅｒｉｖｅ）ことができる循環シフトインデックスを意味する。例えば、基本シーケンスの長さが１２であり、ＣＳ間隔が１の場合、基本シーケンスの可用循環シフトインデックスの総個数は１２になる。または、基本シーケンスの長さが１２であり、ＣＳ間隔が２の場合、基本シーケンスの可用循環シフトインデックスの総数は６になる。
【００６１】
図６は、ノーマルＣＰでの一個のスロットに対するＰＵＣＣＨフォーマット２／２ａ／２ｂのチャネル構造を示す。前述したように、ＰＵＣＣＨフォーマット２／２ａ／２ｂは、ＣＱＩの送信に使われる。
【００６２】
図６を参照すると、ノーマルＣＰで、ＳＣ−ＦＤＭＡシンボル１及び５は、アップリンク参照信号であるＤＭ  ＲＳ（ｄｅｍｏｄｕｌａｔｉｏｎ  ｒｅｆｅｒｅｎｃｅ  ｓｙｍｂｏｌ）のために使われる。拡張ＣＰの場合は、ＳＣ−ＦＤＭＡ（ｓｉｎｇｌｅ  ｃａｒｒｉｅｒ−ｆｒｅｕｑｕｅｎｃｙ  ｄｉｖｉｓｉｏｎ  ｍｕｌｔｐｌｅ  ａｃｃｅｓｓ）シンボル３がＤＭ  ＲＳのために使われる。
【００６３】
１０個のＣＱＩ情報ビットが、例えば、１／２割合でチャネルコーディング（ｃｈａｎｎｅｌ  ｃｏｄｉｎｇ）されることで２０個のコーディングされたビットになる。チャネルコーディングには、リードマラー（Ｒｅｅｄ−Ｍｕｌｌｅｒ：ＲＭ）コードが使われることができる。そして、スクランブリング（ＰＵＳＣＨデータが長さ３１のゴールドシーケンスでスクランブリングされることと同様に）された後、ＱＰＳＫコンステレーションマッピング（ｃｏｎｓｔｅｌｌａｔｉｏｎ  ｍａｐｐｉｎｇ）されることでＱＰＳＫ変調シンボルが生成される（スロット０で、ｄ０乃至ｄ４）。各ＱＰＳＫ変調シンボルは、長さ１２である基本ＲＳシーケンスの循環シフトに変調され、ＯＦＤＭ変調された後、サブフレーム内の１０個のＳＣ−ＦＤＭＡシンボルの各々で送信される。均一に離隔された１２個の循環シフトは、１２個の互いに異なる端末が同じＰＵＣＣＨリソースブロックで直交に多重化されることができるようにする。ＳＣ−ＦＤＭＡシンボル１及び５に適用されるＤＭ  ＲＳシーケンスは、長さ１２である基本ＲＳシーケンスが使われることができる。
【００６４】
図７は、ノーマルＣＰでの一個のスロットに対するＰＵＣＣＨフォーマット１ａ／１ｂを示す。３番目乃至５番目のＳＣ−ＦＤＭＡシンボルでアップリンク参照信号が送信される。図７において、ｗ０、ｗ１、ｗ２及びｗ３は、ＩＦＦＴ（Ｉｎｖｅｒｓｅ  Ｆａｓｔ  Ｆｏｕｒｉｅｒ  Ｔｒａｎｓｆｏｒｍ）変調以後に時間領域で変調され、またはＩＦＦＴ変調以前に周波数領域で変調されることができる。
【００６５】
一個のスロットは、７個のＯＦＤＭシンボルを含み、３個のＯＦＤＭシンボルは、参照信号のためのＲＳ（Ｒｅｆｅｒｅｎｃｅ  Ｓｉｇｎａｌ）ＯＦＤＭシンボルになり、４個のＯＦＤＭシンボルは、ＡＣＫ／ＮＡＣＫ信号のためのデータＯＦＤＭシンボルになる。
【００６６】
ＰＵＣＣＨフォーマット１ｂでは、エンコーディングされた２ビットＡＣＫ／ＮＡＣＫ信号をＱＰＳＫ（Ｑｕａｄｒａｔｕｒｅ  Ｐｈａｓｅ  Ｓｈｉｆｔ  Ｋｅｙｉｎｇ）変調して変調シンボルｄ（０）が生成される。
【００６７】
循環シフトインデックスＩｃｓは、無線フレーム内のスロット番号（ｎｓ）及び／またはスロット内のシンボルインデックス（ｌ）によって変わることができる。
【００６８】
ノーマルＣＰで、一個のスロットにＡＣＫ／ＮＡＣＫ信号の送信のために４個のデータＯＦＤＭシンボルがあるため、各データＯＦＤＭシンボルで対応する循環シフトインデックスをＩｃｓ０、Ｉｃｓ１、Ｉｃｓ２、Ｉｃｓ３と仮定する。
【００６９】
変調シンボルｄ（０）は、循環シフトされたシーケンスｒ（ｎ，Ｉｃｓ）に拡散される。スロットで（ｉ＋１）番目のＯＦＤＭシンボルに対応する一次元拡散されたシーケンスをｍ（ｉ）とする時、｛ｍ（０），ｍ（１），ｍ（２），ｍ（３）｝＝｛ｄ（０）ｒ（ｎ，Ｉｃｓ０），ｄ（０）ｒ（ｎ，Ｉｃｓ１），ｄ（０）ｒ（ｎ，Ｉｃｓ２），ｄ（０）ｒ（ｎ，Ｉｃｓ３）｝で表すことができる。
【００７０】
端末容量を増加させるために、一次元拡散されたシーケンスは、直交シーケンスを利用して拡散されることができる。拡散係数（ｓｐｒｅａｄｉｎｇ  ｆａｃｔｏｒ）Ｋ＝４である直交シーケンスｗｉ（ｋ）（ｉは、シーケンスインデックス、０≦ｋ≦Ｋ−１）として、下記のようなシーケンスを使用する。
【００７１】
【表３】
0005965069.tif 000008
【００７２】
拡散係数Ｋ＝３である直交シーケンスｗｉ（ｋ）（ｉは、シーケンスインデックス、０≦ｋ≦Ｋ−１）として、下記のようなシーケンスを使用する。
【００７３】
【表４】
0005965069.tif 000009
【００７４】
スロット毎に異なる拡散係数を使用することができる。
【００７５】
したがって、任意の直交シーケンスインデックスｉが与えられる時、２次元拡散されたシーケンス｛ｓ（０），ｓ（１），ｓ（２），ｓ（３）｝は、下記のように示すことができる。
【００７６】
｛ｓ（０），ｓ（１），ｓ（２），ｓ（３）｝＝｛ｗｉ（０）ｍ（０），ｗｉ（１）ｍ（１），ｗｉ（２）ｍ（２），ｗｉ（３）ｍ（３）｝
【００７７】
２次元拡散されたシーケンス｛ｓ（０），ｓ（１），ｓ（２），ｓ（３）｝は、ＩＦＦＴが実行された後、対応するＯＦＤＭシンボルで送信される。それによって、ＡＣＫ／ＮＡＣＫ信号がＰＵＣＣＨ上に送信される。
【００７８】
ＰＵＣＣＨフォーマット１ｂの参照信号も基本シーケンスｒ（ｎ）を循環シフトさせた後、直交シーケンスに拡散させて送信される。３個のＲＳ  ＯＦＤＭシンボルに対応する循環シフトインデックスをＩｃｓ４、Ｉｃｓ５、Ｉｃｓ６とする時、３個の循環シフトされたシーケンスｒ（ｎ，Ｉｃｓ４）、ｒ（ｎ，Ｉｃｓ５）、ｒ（ｎ，Ｉｃｓ６）を得ることができる。この３個の循環シフトされたシーケンスは、Ｋ＝３である直交シーケンスｗＲＳ，ｉ（ｋ）に拡散される。
【００７９】
直交シーケンスインデックスｉ、循環シフトインデックスＩｃｓ及びリソースブロックインデックスｍは、ＰＵＣＣＨを構成するために必要なパラメータであり、ＰＵＣＣＨ（または、端末）を区分するときに使われるリソースである。可用循環シフトの個数が１２であり、可用な直交シーケンスインデックスの個数が３の場合、総３６個の端末に対するＰＵＣＣＨが一つのリソースブロックに多重化されることができる。
【００８０】
３ＧＰＰ  ＬＴＥでは、端末がＰＵＣＣＨを構成するための前記３個のパラメータを取得するために、リソースインデックスｎ（１）ＰＵＣＣＨが定義される。リソースインデックスｎ（１）ＰＵＣＣＨ＝ｎＣＣＥ＋Ｎ（１）ＰＵＣＣＨで定義され、ｎＣＣＥは、対応するＤＣＩ（即ち、ＡＣＫ／ＮＡＣＫ信号の対象となるダウンリンクデータの受信のためのダウンリンクリソース割当）の送信に使われる１番目のＣＣＥ（最も低いインデックスを有するＣＣＥ）のインデックスであり、Ｎ（１）ＰＵＣＣＨは、基地局が端末に上位階層メッセージを介して知らせるパラメータである。
【００８１】
以下、ＡＣＫ／ＮＡＣＫ信号の送信に使われる時間、周波数、コードリソースをＡＣＫ／ＮＡＣＫリソースまたはＰＵＣＣＨリソースという。前述したように、ＰＵＣＣＨリソースを決定するためのインデックス（これをＰＵＣＣＨインデックスという）、即ち、ＡＣＫ／ＮＡＣＫ信号をＰＵＣＣＨ上に送信するために必要なインデックスは、｛直交シーケンスインデックスｉ，循環シフトインデックスＩｃｓ，リソースブロックインデックスｍ｝または前記３個のインデックスを求めるためのインデックス（ｎ（１）ＰＵＣＣＨ）のうち少なくともいずれか一つで表現されることができる。即ち、ＰＵＣＣＨリソースは、直交シーケンス、循環シフト、リソースブロック及びそれらの組合せのうち少なくともいずれか一つを含むことができ、ＰＵＣＣＨリソースを示すことができるインデックスをＰＵＣＣＨインデックスという。
【００８２】
一方、ＬＴＥ−Ａでは、最大２１ビット（これは、情報ビットであり、チャネルコーディング前のビット数であり、ＳＲが含まれる場合、最大２２ビット）のアップリンク制御情報（例えば、ＡＣＫ／ＮＡＣＫとＳＲ）を送信するためにＰＵＣＣＨフォーマット３が導入された。ＰＵＣＣＨフォーマット３は、変調方式としてＱＰＳＫを使用し、サブフレームで送信可能なビット数は、４８ビット（これは情報ビットをチャネルコーディングした後に送信されるビット数）である。
【００８３】
ＰＵＣＣＨフォーマット３は、ブロックスプレッディング（ｂｌｏｃｋ  ｓｐｒｅａｄｉｎｇ）ベースの送信を実行する。即ち、ブロックスプレッディングコードを利用してマルチビットＡＣＫ／ＮＡＣＫを変調した変調シンボルシーケンスを時間領域で拡散した後に送信する。
【００８４】
図８は、ＰＵＣＣＨフォーマット３のチャネル構造を例示する。
【００８５】
図８を参照すると、変調シンボルシーケンス｛ｄ１，ｄ２，．．．｝は、ブロックスプレッディングコードが適用されて時間領域で拡散される。ブロックスプレッディングコードは、直交カバーコード（ｏｒｔｈｏｇｏｎａｌ  ｃｏｖｅｒ  ｃｏｄｅ：ＯＣＣ）である。ここで、変調シンボルシーケンスは、マルチビットであるＡＣＫ／ＮＡＣＫ情報ビットがチャネルコーディング（ＲＭコード、ＴＢＣＣ、パンチャリングされたＲＭコードなどを利用した）されてＡＣＫ／ＮＡＣＫ  ｃｏｄｅｄ  ビットが生成され、前記ＡＣＫ／ＮＡＣＫ  ｃｏｄｅｄ  ビットが変調（例えば、ＱＰＳＫ）された変調シンボルのシーケンスである。変調シンボルのシーケンスは、ＦＦＴ（ｆａｓｔ  Ｆｏｕｒｉｅｒ  ｔｒａｎｓｆｏｒｍ）、ＩＦＦＴ（ｉｎｖｅｒｓｅ  ｆａｓｔ  Ｆｏｕｒｉｅｒ  ｔｒａｎｓｆｏｒｍ）を経てスロットのデータシンボルにマッピングされた後に送信される。図８では、一個のスロットに３個のＲＳシンボルが存在する場合を例示したが、２個のＲＳシンボルが存在することもでき、このような場合、長さ５のブロックスプレッディングコードが使われることができる。
【００８６】
＜セミパーシステントスケジューリング（ｓｅｍｉ−ｐｅｒｓｉｓｔｅｎｔ  ｓｃｈｅｄｕｌｉｎｇ：ＳＰＳ）＞
【００８７】
無線通信システムにおいて、端末は、ＰＤＣＣＨを介してＤＬグラント、ＵＬグラントなどのようなスケジューリング情報を受信し、スケジューリング情報に基づき、端末は、ＰＤＳＣＨを受信、ＰＵＳＣＨを送信する動作を実行する。一般的に、ＤＬグラントとＰＤＳＣＨは、同じサブフレーム内で受信される。そして、ＦＤＤの場合、ＵＬグラントを受信したサブフレームから４サブフレーム以後にＰＵＳＣＨを送信する。ＬＴＥは、このような動的スケジューリング以外にセミパーシステントスケジューリング（ｓｅｍｉ−ｐｅｒｓｉｓｔｅｎｔ  ｓｃｈｅｄｕｌｉｎｇ：ＳＰＳ）も提供する。
【００８８】
ダウンリンクまたはアップリンクＳＰＳは、ＲＲＣ（ｒａｄｉｏ  ｒｅｓｏｕｒｃｅ  ｃｏｎｔｒｏｌ）のような上位階層信号を介して、端末にセミパーシステント送信（ＰＵＳＣＨ）／受信（ＰＤＳＣＨ）をいずれのサブフレームで実行するかを知らせることができる。上位階層信号として与えられるパラメータは、例えば、サブフレームの周期とオフセット値である。
【００８９】
端末は、ＲＲＣシグナリングを介してＳＰＳ送信／受信を認知した後、ＰＤＣＣＨを介してＳＰＳ送信の活性化（ａｃｔｉｖａｔｉｏｎ）、解除（ｒｅｌｅａｓｅ）信号を受信すると、ＳＰＳ送信／受信を実行または解除する。即ち、端末は、ＲＲＣシグナリングを介してＳＰＳの割当を受けても、直ちにＳＰＳ送信／受信を実行するものではなく、活性化または解除信号をＰＤＣＣＨを介して受信する場合、そのＰＤＣＣＨで指定したリソースブロック割当による周波数リソース（リソースブロック）、ＭＣＳ情報による変調、コーディング率を適用してＲＲＣシグナリングを介して割当を受けたサブフレーム周期、オフセット値に該当するサブフレームでＳＰＳ送信／受信を実行する。もし、ＰＤＣＣＨを介してＳＰＳ解除信号を受信すると、ＳＰＳ送信／受信を中断する。このように中断されたＳＰＳ送信／受信は、再びＳＰＳ活性化信号を含むＰＤＣＣＨ（ＳＰＳ再活性化ＰＤＣＣＨ）を受信すると、該当ＰＤＣＣＨで指定する周波数リソース、ＭＣＳなどを利用して再開する。
【００９０】
以下、ＳＰＳ活性化のためのＰＤＣＣＨをＳＰＳ活性化ＰＤＣＣＨといい、ＳＰＳ解除のためのＰＤＣＣＨをＳＰＳ解除ＰＤＣＣＨという。端末は、下記の条件を全部満たす場合、ＰＤＣＣＨがＳＰＳ活性化／解除ＰＤＣＣＨかどうかを認証（ｖａｌｉｄａｔｉｏｎ）することができる。１．ＰＤＣＣＨペイロードから得られるＣＲＣパリティビットがＳＰＳ  Ｃ−ＲＮＴＩでスクランブルされており、２．新しいデータ指示フィールド（ｎｅｗ  ｄａｔａ  ｉｎｄｉｃａｔｏｒ  ｆｉｅｌｄ）の値が‘０’でなければならない。また、ＰＤＣＣＨに含まれている各フィールド値が以下の表の値のように設定されると、端末は、該当ＰＤＣＣＨのダウンリンク制御情報（ｄｏｗｎｌｉｎｋ  ｃｏｎｔｒｏｌ  ｉｎｆｏｒｍａｔｉｏｎ：ＤＣＩ）をＳＰＳ活性化または解除と判断する。
【００９１】
【表５】
0005965069.tif 000010
【００９２】
前記表５は、ＳＰＳ活性化（ａｃｔｉｖａｔｉｏｎ）を認証するためのＳＰＳ活性化ＰＤＣＣＨのフィールド値を示す。
【００９３】
【表６】
0005965069.tif 000011
【００９４】
前記表６は、ＳＰＳ解除（ｒｅｌｅａｓｅ）を認証するためのＳＰＳ解除ＰＤＣＣＨのフィールド値を示す。
【００９５】
ＳＰＳによると、ＳＰＳ活性化を指示するＰＤＣＣＨと同じサブフレームで送信されるＰＤＳＣＨは、対応するＰＤＣＣＨ（即ち、ＳＰＳ活性化を指示するＰＤＣＣＨ）があるが、以後のＰＤＳＣＨ、即ち、ＳＰＳによって以後スケジューリングされたＰＤＳＣＨ（これをＳＰＳ  ＰＤＳＣＨという）は、対応するＰＤＣＣＨがない。したがって、前記ＳＰＳ  ＰＤＳＣＨに対するＡＣＫ／ＮＡＣＫを送信する時、ＰＤＣＣＨの最も低いＣＣＥインデックスにマッピングされたＰＵＣＣＨリソースを使用することが不可能であるという問題がある。
【００９６】
したがって、基地局は、ＳＰＳに対してＲＲＣメッセージのような上位階層信号を介して複数のリソースを予め設定した後、ＳＰＳ活性化を指示するＰＤＣＣＨに含まれているＴＰＣフィールドをＡＲＩ（ＡＣＫ／ＮＡＣＫ  ｒｅｓｏｕｒｃｅ  ｉｎｄｉｃａｔｏｒ）に転用して前記複数のリソースのうち特定リソースを指示する方式にＳＰＳ  ＰＤＳＣＨに対するＡＣＫ／ＮＡＣＫ送信リソースを指示することができる。このような方式のＡＣＫ／ＮＡＣＫ送信リソースを明示的ＰＵＣＣＨリソースということができる。
【００９７】
＜ＨＡＲＱ（ｈｙｂｒｉｄ  ａｕｔｏｍａｔｉｃ  ｒｅｐｅａｔ  ｒｅｑｕｅｓｔ）＞
【００９８】
基地局と端末との間のデータの送受信時、フレームが受信することができない、または損傷された場合、エラー制御方法では、ＡＲＱ（Ａｕｔｏｍａｔｉｃ  Ｒｅｐｅａｔ  ｒｅｑｕｅｓｔ）方式と、より発展した形態であるＨＡＲＱ（ｈｙｂｒｉｄ  ＡＲＱ）方式とがある。ＡＲＱ方式は、一つのフレーム送信後に確認メッセージ（ＡＣＫ）がくることを待ち、受信側では正しく受ける場合のみ、確認メッセージ（ＡＣＫ）を送り、前記フレームにエラーが発生された場合は、ＮＡＣＫ（ｎｅｇａｔｉｖｅ−ＡＣＫ）メッセージを送り、エラーが発生された受信フレームは、受信端のバッファでその情報を削除する。送信側では、ＡＣＫ信号を受けた時は、その以後フレームを送信するが、ＮＡＣＫメッセージを受けた時は、フレームを再送信するようになる。
【００９９】
ＡＲＱ方式と違って、ＨＡＲＱ方式は、受信されたフレームを復調することができない場合、受信端から送信端にＮＡＣＫメッセージを送信するが、既に受信したフレームは、一定時間バッファに格納し、そのフレームが再送信された時、既受信したフレームと結合して受信成功率を高める。
【０１００】
最近、ＡＲＱ方式より効率的なＨＡＲＱ方式が広く使われている。このようなＨＡＲＱ方式にも多様な種類があり、再送信するタイミングによって、同期化ＨＡＲＱ（ｓｙｎｃｈｒｏｎｏｕｓ  ＨＡＲＱ）と非同期化（ａｓｙｎｃｈｒｏｎｏｕｓ  ＨＡＲＱ）とに分けられ、再送信時に使用するリソースの量に対してチャネル状態を反映するかどうかによってチャネル適応的（ｃｈａｎｎｅｌ−ａｄａｐｔｉｖｅ）方式とチャネル非適応的（ｃｈａｎｎｅｌ−ｎｏｎ−ａｄａｐｔｉｖｅ）方式とに分けられる。
【０１０１】
図９は、同期化ＨＡＲＱを例示する。
【０１０２】
同期化ＨＡＲＱ方式は、初期送信が失敗した場合、以後の再送信がシステムにより決められたタイミングに行われる方式である。即ち、再送信が行われるタイミングが、初期送信後、８番目の時間単位（サブフレーム）毎に行われると仮定すると、これは基地局と端末との間に既に約束されているため、追加にこのタイミングに対して知らせる必要はない。ただし、データ送信側では、ＮＡＣＫメッセージを受けた場合、ＡＣＫメッセージを受けるまで８番目の時間単位毎にデータを再送信するようになる。
【０１０３】
それに対し、非同期化ＨＡＲＱ方式は、再送信タイミングが新しくスケジューリングされ、または追加的なシグナリングを介して行われることができる。以前に送信失敗したデータに対する再送信が行われるタイミングは、チャネル状態などの様々な要因により可変される。
【０１０４】
チャネル適応的ＨＡＲＱ方式は、再送信時、データの変調、リソースブロックの数、コーディング方式などが初期送信時に決められた通りに行われる方式であり、これと違って、チャネル非適応的ＨＡＲＱ方式は、チャネルの状態によってこれらが可変される方式である。
【０１０５】
例えば、送信側で、初期送信時、６個のリソースブロックを利用してデータを送信し、以後再送信時も同じく６個のリソースブロックを利用して再送信することがチャネル非適応的ＨＡＲＱ方式である。
【０１０６】
それに対し、初期には６個のリソースブロックを利用してデータ送信が行われたとしても、以後にチャネル状態によっては６個より大きい、または小さい数のリソースブロックを利用してデータを再送信する方式がチャネル適応的ＨＡＲＱ方式である。
【０１０７】
このような分類により、各々は、４種類のＨＡＲＱの組合せになることができるが、主に使われるＨＡＲＱ方式は、非同期化及びチャネル適応的ＨＡＲＱ方式と、同期化及びチャネル非適応的ＨＡＲＱ方式とがある。非同期化及びチャネル適応的ＨＡＲＱ方式は、再送信タイミングと使用するリソースの量をチャネルの状態によって、適応的に異なるようにすることで再送信効率を極大化させることができるが、オーバーヘッドが大きくなるという短所があってアップリンクのためには一般的に考慮されない。一方、同期化及びチャネル非適応的ＨＡＲＱ方式は、再送信のためのタイミングとリソース割当がシステム内で約束されているため、そのためのオーバーヘッドがほぼないことが長所であるが、変化が激しいチャネル状態で使われる場合、再送信効率が非常に低くなるという短所がある。
【０１０８】
現在３ＧＰＰ  ＬＴＥにおいて、ダウンリンクの場合は非同期化ＨＡＲＱ方式が使われており、アップリンクの場合は同期化ＨＡＲＱ方式が使われている。
【０１０９】
一方、ダウンリンクを例として挙げると、スケジューリングされてデータが送信された後、端末からのＡＣＫ／ＮＡＣＫ信号が受信され、再び次のデータが送信される時までは図９に示すように、時間遅延が発生する。これはチャネルの伝達遅延と、データデコーディング及びデータエンコーディングにかかる時間により発生する遅延である。このような遅延区間中のデータ送信のブランクが発生することを防止するために、独立的なＨＡＲＱプロセスを使用してデータを送信する方法が使われている。
【０１１０】
例えば、一つのＨＡＲＱプロセスでデータ送信と次のデータ送信までの最短周期が８サブフレームの場合、８個の独立的なＨＡＲＱプロセスをおくことで、シームレスデータを送信することができるようになる。ＬＴＥ  ＦＤＤでは、ＭＩＭＯで動作しない場合、最大８個のＨＡＲＱプロセスを割り当てることができるようになっている。
【０１１１】
＜キャリアアグリゲーション（ｃａｒｒｉｅｒ  ａｇｇｒｅｇａｔｉｏｎ）＞
【０１１２】
以下、キャリアアグリゲーションシステムに対して説明する。
【０１１３】
図１０は、既存の単一キャリアシステムとキャリアアグリゲーションシステムの比較例である。
【０１１４】
図１０を参照すると、単一キャリアシステムでは、アップリンクとダウンリンクに一つのキャリアのみを端末にサポートする。キャリアの帯域幅は多様であるが、端末に割り当てられるキャリアは一つである。それに対し、キャリアアグリゲーション（ｃａｒｒｉｅｒ  ａｇｇｒｅｇａｔｉｏｎ、ＣＡ）システムでは、端末に複数のコンポーネントキャリア（ＤＬ  ＣＣ  Ａ乃至Ｃ、ＵＬ  ＣＣ  Ａ乃至Ｃ）が割り当てられることができる。コンポーネントキャリア（ｃｏｍｐｏｎｅｎｔ  ｃａｒｒｉｅｒ：ＣＣ）は、キャリアアグリゲーションシステムで使われるキャリアを意味し、キャリアと略称することができる。例えば、端末に６０ＭＨｚの帯域幅を割り当てるために、３個の２０ＭＨｚのコンポーネントキャリアが割り当てられることができる。
【０１１５】
キャリアアグリゲーションシステムは、アグリゲーションされるキャリアが連続する連続（ｃｏｎｔｉｇｕｏｕｓ）キャリアアグリゲーションシステムと、アグリゲーションされるキャリアが互いに離れている不連続（ｎｏｎ−ｃｏｎｔｉｇｕｏｕｓ）キャリアアグリゲーションシステムとに区分されることができる。以下、単純にキャリアアグリゲーションシステムとする時、これはコンポーネントキャリアが連続の場合と不連続の場合の両方ともを含むと理解しなければならない。
【０１１６】
無線通信システムのシステム周波数帯域は、複数のキャリア周波数（Ｃａｒｒｉｅｒ−ｆｒｅｑｕｅｎｃｙ）に区分される。ここで、キャリア周波数は、セルの中心周波数（Ｃｅｎｔｅｒ  ｆｒｅｑｕｅｎｃｙ  ｏｆ  ａ  ｃｅｌｌ）を意味する。以下、セル（ｃｅｌｌ）は、ダウンリンク周波数リソースとアップリンク周波数リソースを意味する。または、セルは、ダウンリンク周波数リソースと選択的な（ｏｐｔｉｏｎａｌ）アップリンク周波数リソースとの組合せ（ｃｏｍｂｉｎａｔｉｏｎ）を意味する。また、一般的にキャリアアグリゲーション（ＣＡ）を考慮しない場合、１個のセル（ｃｅｌｌ）は、アップリンク及びダウンリンク周波数リソースが常に対で存在する。
【０１１７】
特定セルを介してパケット（ｐａｃｋｅｔ）データの送受信が行われるためには、端末は、まず、特定セルに対して設定（ｃｏｎｆｉｇｕｒａｔｉｏｎ）を完了しなければならない。ここで、設定（ｃｏｎｆｉｇｕｒａｔｉｏｎ）とは、該当セルに対するデータ送受信に必要なシステム情報受信を完了した状態を意味する。例えば、設定（ｃｏｎｆｉｇｕｒａｔｉｏｎ）は、データ送受信に必要な共通物理階層パラメータ、またはＭＡＣ（ｍｅｄｉａ  ａｃｃｅｓｓ  ｃｏｎｔｒｏｌ）階層パラメータ、またはＲＲＣ階層で特定動作に必要なパラメータを受信する全般の過程を含むことができる。設定完了したセルは、パケットデータが送信されることができるという情報のみを受信すると、直ちにパケットの送受信が可能な状態である。
【０１１８】
設定完了状態のセルは、活性化（Ａｃｔｉｖａｔｉｏｎ）または非活性化（Ｄｅａｃｔｉｖａｔｉｏｎ）状態に存在する。ここで、活性化は、データの送信または受信が行なわれ、または準備状態（ｒｅａｄｙ  ｓｔａｔｅ）であることを意味する。端末は、自分に割り当てられたリソース（周波数、時間など）を確認するために、活性化されたセルの制御チャネル（ＰＤＣＣＨ）及びデータチャネル（ＰＤＳＣＨ）をモニタリングまたは受信することができる。
【０１１９】
非活性化は、トラフィックデータの送信または受信が不可能であり、測定や最小情報の送信／受信が可能であることを意味する。端末は、非活性化セルからパケット受信のために必要なシステム情報（ＳＩ）を受信することができる。それに対し、端末は、自分に割り当てられたリソース（周波数、時間など）を確認するために、非活性化されたセルの制御チャネル（ＰＤＣＣＨ）及びデータチャネル（ＰＤＳＣＨ）をモニタリングまたは受信しない。
【０１２０】
セルは、プライマリセル（ｐｒｉｍａｒｙ  ｃｅｌｌ）、セカンダリセル（ｓｅｃｏｎｄａｒｙ  ｃｅｌｌ）、サービングセル（ｓｅｒｖｉｎｇ  ｃｅｌｌ）に区分されることができる。
【０１２１】
プライマリセルは、プライマリ周波数で動作するセルを意味し、端末が基地局との最初接続確立過程（ｉｎｉｔｉａｌ  ｃｏｎｎｅｃｔｉｏｎ  ｅｓｔａｂｌｉｓｈｍｅｎｔ  ｐｒｏｃｅｄｕｒｅ）または接続再確立過程を実行するセル、またはハンドオーバ過程でプライマリセルに指示されたセルを意味する。
【０１２２】
セカンダリセルは、セカンダリ周波数で動作するセルを意味し、ＲＲＣ接続が確立される場合に設定され、追加的な無線リソースの提供に使われる。
【０１２３】
サービングセルは、キャリアアグリゲーションが設定されない、またはキャリアアグリゲーションを提供することができない端末である場合、プライマリセルで構成される。キャリアアグリゲーションが設定された場合、サービングセルという用語は、端末に設定されたセルを示し、複数で構成されることができる。一つのサービングセルは、一つのダウンリンクコンポーネントキャリアまたは｛ダウンリンクコンポーネントキャリア，アップリンクコンポーネントキャリア｝の対で構成されることができる。複数のサービングセルは、プライマリセル及び全てのセカンダリセルのうち一つまたは複数に構成された集合で構成されることができる。
【０１２４】
ＰＣＣ（ｐｒｉｍａｒｙ  ｃｏｍｐｏｎｅｎｔ  ｃａｒｒｉｅｒ）は、プライマリセルに対応するコンポーネントキャリア（ｃｏｍｐｏｎｅｎｔ  ｃａｒｒｉｅｒ：ＣＣ）を意味する。ＰＣＣは、端末が複数のＣＣのうち初期に基地局と接続（ＣｏｎｎｅｃｔｉｏｎまたはＲＲＣ  Ｃｏｎｎｅｃｔｉｏｎ）するＣＣである。ＰＣＣは、複数のＣＣに対するシグナリングのための接続（ＣｏｎｎｅｃｔｉｏｎまたはＲＲＣ  Ｃｏｎｎｅｃｔｉｏｎ）を担当し、端末と関連した接続情報である端末文脈情報（ＵＥ  Ｃｏｎｔｅｘｔ）を管理する特別なＣＣである。また、ＰＣＣは、端末と接続するようになってＲＲＣ接続状態（ＲＲＣ  Ｃｏｎｎｅｃｔｅｄ  Ｍｏｄｅ）の場合、常に活性化状態に存在する。プライマリセルに対応するダウンリンクコンポーネントキャリアをダウンリンクプライマリコンポーネントキャリア（ＤｏｗｎＬｉｎｋ  Ｐｒｉｍａｒｙ  Ｃｏｍｐｏｎｅｎｔ  Ｃａｒｒｉｅｒ、ＤＬ  ＰＣＣ）といい、プライマリセルに対応するアップリンクコンポーネントキャリアをアップリンクプライマリコンポーネントキャリア（ＵＬ  ＰＣＣ）という。
【０１２５】
ＳＣＣ（ｓｅｃｏｎｄａｒｙ  ｃｏｍｐｏｎｅｎｔ  ｃａｒｒｉｅｒ）は、セカンダリセルに対応するＣＣを意味する。即ち、ＳＣＣは、ＰＣＣ以外に端末に割り当てられたＣＣであって、端末がＰＣＣ以外に追加的なリソース割当などのために拡張されたキャリア（Ｅｘｔｅｎｄｅｄ  Ｃａｒｒｉｅｒ）であり、活性化または非活性化状態に分けられる。セカンダリセルに対応するダウンリンクコンポーネントキャリアをダウンリンクセカンダリコンポーネントキャリア（ＤＬ  Ｓｅｃｏｎｄａｒｙ  ＣＣ、ＤＬ  ＳＣＣ）といい、セカンダリセルに対応するアップリンクコンポーネントキャリアをアップリンクセカンダリコンポーネントキャリア（ＵＬ  ＳＣＣ）という。
【０１２６】
プライマリセルとセカンダリセルは、下記のような特徴を有する。
【０１２７】
第一に、プライマリセルは、ＰＵＣＣＨの送信のために使われる。第二に、プライマリセルは、常に活性化されており、セカンダリセルは、特定条件によって活性化／非活性化されるキャリアである。第三に、プライマリセルが無線リンク失敗（Ｒａｄｉｏ  Ｌｉｎｋ  Ｆａｉｌｕｒｅ；以下、ＲＬＦ）を経験する時、ＲＲＣ再接続がトリガリング（ｔｒｉｇｇｅｒｉｎｇ）される。第四に、プライマリセルは、セキュリティキー（ｓｅｃｕｒｉｔｙ  ｋｅｙ）変更やＲＡＣＨ（Ｒａｎｄｏｍ  Ａｃｃｅｓｓ  ＣＨａｎｎｅｌ）手順と伴うハンドオーバ手順によって変更されることができる。第五に、ＮＡＳ（ｎｏｎ−ａｃｃｅｓｓ  ｓｔｒａｔｕｍ）情報は、プライマリセルを介して受信する。第六に、ＦＤＤシステムの場合、プライマリセルは、常時ＤＬ  ＰＣＣとＵＬ  ＰＣＣが対（ｐａｉｒ）で構成される。第七に、各端末毎に異なるコンポーネントキャリア（ＣＣ）がプライマリセルに設定されることができる。第八に、プライマリセルは、ハンドオーバ、セル選択／セル再選択過程を介してのみ替えられることができる。新規セカンダリセルの追加において、専用（ｄｅｄｉｃａｔｅｄ）セカンダリセルのシステム情報の送信にＲＲＣシグナリングが使われることができる。
【０１２８】
サービングセルを構成するコンポーネントキャリアは、ダウンリンクコンポーネントキャリアが一つのサービングセルを構成することもでき、ダウンリンクコンポーネントキャリアとアップリンクコンポーネントキャリアが連結設定されて一つのサービングセルを構成することができる。しかし、一つのアップリンクコンポーネントキャリアのみではサービングセルが構成されない。
【０１２９】
コンポーネントキャリアの活性化／非活性化は、サービングセルの活性化／非活性化の概念と同じである。例えば、サービングセル１がＤＬ  ＣＣ１で構成されていると仮定する時、サービングセル１の活性化は、ＤＬ  ＣＣ１の活性化を意味する。もし、サービングセル２がＤＬ  ＣＣ２とＵＬ  ＣＣ２が連結設定されて構成されていると仮定する時、サービングセル２の活性化は、ＤＬ  ＣＣ２とＵＬ  ＣＣ２の活性化を意味する。このような意味で、各コンポーネントキャリアは、サービングセル（ｃｅｌｌ）に対応されることができる。
【０１３０】
ダウンリンクとアップリンクとの間にアグリゲーションされるコンポーネントキャリアの数は異なるように設定されることができる。ダウンリンクＣＣ数とアップリンクＣＣ数が同じ場合を対称的（ｓｙｍｍｅｔｒｉｃ）アグリゲーションといい、その数が異なる場合を非対称的（ａｓｙｍｍｅｔｒｉｃ）アグリゲーションという。また、ＣＣの大きさ（即ち、帯域幅）は互いに異なることもある。例えば、７０ＭＨｚ帯域の構成のために、５個のＣＣが使われるとする時、５ＭＨｚ  ＣＣ（ｃａｒｒｉｅｒ  ＃０）＋２０ＭＨｚ  ＣＣ（ｃａｒｒｉｅｒ  ＃１）＋２０ＭＨｚ  ＣＣ（ｃａｒｒｉｅｒ  ＃２）＋２０ＭＨｚ  ＣＣ（ｃａｒｒｉｅｒ  ＃３）＋５ＭＨｚ  ＣＣ（ｃａｒｒｉｅｒ  ＃４）のように構成されることもできる。
【０１３１】
前述したように、キャリアアグリゲーションシステムでは、単一キャリアシステムと違って、複数のコンポーネントキャリア（ｃｏｍｐｏｎｅｎｔ  ｃａｒｒｉｅｒ、ＣＣ）、即ち、複数のサービングセルをサポートすることができる。
【０１３２】
このようなキャリアアグリゲーションシステムは、交差キャリアスケジューリング（ｃｒｏｓｓ−ｃａｒｒｉｅｒ  ｓｃｈｅｄｕｌｉｎｇ）をサポートすることができる。交差キャリアスケジューリングは、特定コンポーネントキャリアを介して送信されるＰＤＣＣＨを介して、他のコンポーネントキャリアを介して送信されるＰＤＳＣＨのリソース割当及び／または前記特定コンポーネントキャリアと基本的にリンクされているコンポーネントキャリア以外の他のコンポーネントキャリアを介して送信されるＰＵＳＣＨのリソース割当をすることができるスケジューリング方法である。即ち、ＰＤＣＣＨとＰＤＳＣＨが互いに異なるＤＬ  ＣＣを介して送信されることができ、ＵＬグラントを含むＰＤＣＣＨが送信されたＤＬ  ＣＣとリンクされたＵＬ  ＣＣでない他のＵＬ  ＣＣを介してＰＵＳＣＨが送信されることができる。このように交差キャリアスケジューリングをサポートするシステムでは、ＰＤＣＣＨが制御情報を提供するＰＤＳＣＨ／ＰＵＳＣＨがいずれのＤＬ  ＣＣ／ＵＬ  ＣＣを介して送信されるかを知らせるキャリア指示子が必要である。以下、このようなキャリア指示子を含むフィールドをキャリア指示フィールド（ｃａｒｒｉｅｒ  ｉｎｄｉｃａｔｉｏｎ  ｆｉｅｌｄ、ＣＩＦ）という。
【０１３３】
交差キャリアスケジューリングをサポートするキャリアアグリゲーションシステムは、従来のＤＣＩ（ｄｏｗｎｌｉｎｋ  ｃｏｎｔｒｏｌ  ｉｎｆｏｒｍａｔｉｏｎ）フォーマットにキャリア指示フィールド（ＣＩＦ）を含むことができる。交差キャリアスケジューリングをサポートするシステム、例えば、ＬＴＥ−Ａシステムでは、既存のＤＣＩフォーマット（即ち、ＬＴＥで使用するＤＣＩフォーマット）にＣＩＦが追加されるため、３ビットが拡張されることができ、ＰＤＣＣＨ構造は、既存のコーディング方法、リソース割当方法（即ち、ＣＣＥベースのリソースマッピング）等を再使用することができる。
【０１３４】
基地局は、ＰＤＣＣＨモニタリングＤＬ  ＣＣ（モニタリングＣＣ）集合を設定することができる。ＰＤＣＣＨモニタリングＤＬ  ＣＣ集合は、アグリゲーションされた全体ＤＬ  ＣＣのうち一部ＤＬ  ＣＣで構成され、交差キャリアスケジューリングが設定されると、端末は、ＰＤＣＣＨモニタリングＤＬ  ＣＣ集合に含まれているＤＬ  ＣＣに対してのみＰＤＣＣＨモニタリング／デコーディングを実行する。即ち、基地局は、ＰＤＣＣＨモニタリングＤＬ  ＣＣ集合に含まれているＤＬ  ＣＣを介してのみ、スケジューリングしようとするＰＤＳＣＨ／ＰＵＳＣＨに対するＰＤＣＣＨを送信する。ＰＤＣＣＨモニタリングＤＬ  ＣＣ集合は、端末特定的、端末グループ特定的、またはセル特定的に設定されることができる。
【０１３５】
＜ＨＡＲＱプロセスにおけるＡＣＫ／ＮＡＣＫ送信方法＞
【０１３６】
以下、３ＧＰＰ  ＬＴＥでのＨＡＲＱのためのＡＣＫ／ＮＡＣＫ送信に対して記述する。
【０１３７】
ＦＤＤで、最大２個のサービングセルのアグリゲーションをサポートする端末は、２個のサービングセルが設定されると、チャネル選択を利用するＰＵＣＣＨフォーマット１ｂ（ＰＵＣＣＨ  ｆｏｒｍａｔ  １ｂ  ｗｉｔｈ  ｃｈａｎｎｅｌ  ｓｅｌｅｃｔｉｏｎ）を利用してＡＣＫ／ＮＡＣＫを送信する。
【０１３８】
２より多いサービングセルのアグリゲーションをサポートする端末は、２以上のサービングセルが設定されると、上位階層信号の設定によってチャネル選択を利用するＰＵＣＣＨフォーマット１ｂまたはＰＵＣＣＨフォーマット３を利用してＡＣＫ／ＮＡＣＫを送信する。チャネル選択を利用するＰＵＣＣＨフォーマット１ｂに対しては後述する。
【０１３９】
ＴＤＤでは、ＦＤＤ（Ｆｒｅｑｕｅｎｃｙ  Ｄｉｖｉｓｉｏｎ  Ｄｕｐｌｅｘ）と違って、一つの無線フレームにＤＬサブフレームとＵＬサブフレームが共存する。一般的に、ＵＬサブフレームの個数がＤＬサブフレームの個数より少ない。したがって、ＡＣＫ／ＮＡＣＫ信号を送信するためのＵＬサブフレームが足りない場合を対比し、複数のＤＬサブフレームで受信した送信ブロック（または、複数のＰＤＳＣＨ）に対する複数のＡＣＫ／ＮＡＣＫ信号を一つのＵＬサブフレームで送信することをサポートしている。ＡＣＫ／ＮＡＣＫを送信するＵＬサブフレームと、前記ＡＣＫ／ＮＡＣＫの対象となる送信ブロック（または、ＰＤＳＣＨ）を送信することができる一つ以上のＤＬサブフレームとに対し、前記一つ以上のＤＬサブフレームが前記ＡＣＫ／ＮＡＣＫを送信するサブフレームに対応（または、関連／連結）されると表現できる。
【０１４０】
ＴＤＤで、２以上のサービングセルのアグリゲーションをサポートしない端末は、上位階層設定によってバンドリング（ｂｕｎｄｌｉｎｇ）とチャネル選択（ｃｈａｎｎｅｌ  ｓｅｌｅｃｔｉｏｎ）の２個のＡＣＫ／ＮＡＣＫモードがサポートされる。
【０１４１】
第一に、バンドリングは、端末が受信したＰＤＳＣＨ（即ち、ダウンリンク送信ブロック）のデコーディングに全部成功すると、ＡＣＫを送信し、以外の場合は、ＮＡＣＫを送信する。これをＡＮＤ動作という。ただし、バンドリングは、ＡＮＤ動作に制限されるものではなく、複数の送信ブロック（または、コードワード）に対応するＡＣＫ／ＮＡＣＫビットを圧縮する多様な動作を含むことができる。例えば、バンドリングは、ＡＣＫ（または、ＮＡＣＫ）の個数をカウンティングした値や連続的なＡＣＫの個数を示すようにすることができる。バンドリングは、ＡＣＫ／ＮＡＣＫバンドリングと表現することもできる。
【０１４２】
第二に、チャネル選択は、ＡＣＫ／ＮＡＣＫ多重化（ｍｕｌｔｉｐｌｅｘｉｎｇ）ともいう。チャネル選択で、端末は、複数のＰＵＣＣＨリソースの中から１個のＰＵＣＣＨリソースを選択してＡＣＫ／ＮＡＣＫを送信する。
【０１４３】
以下の表は、３ＧＰＰ  ＬＴＥ  ＴＤＤでＵＬ−ＤＬ設定によるＵＬサブフレームｎと連結された（ａｓｓｏｃｉａｔｅｄ）ＤＬサブフレームｎ−ｋの例である。ここで、ｋ∈Ｋ、Ｍは、集合Ｋの要素の個数を示す。
【０１４４】
【表７】
0005965069.tif 000012
【０１４５】
ＵＬサブフレームｎにＭ個のＤＬサブフレームが連結されていると仮定し、Ｍ＝３の場合を考慮する。３個のＤＬサブフレームから３個のＰＤＣＣＨを受信することができ、端末は、３個のＰＵＣＣＨリソース（ｎ（１）ＰＵＣＣＨ，０、ｎ（１）ＰＵＣＣＨ，１、ｎ（１）ＰＵＣＣＨ，２）を取得することができる。ＴＤＤで、チャネル選択の例は、以下の表の通りである。
【０１４６】
【表８】
0005965069.tif 000013
【０１４７】
前記表において、ＨＡＲＱ−ＡＣＫ（ｉ）は、Ｍ個のダウンリンクサブフレームのうちｉ番目のダウンリンクサブフレームに対するＡＣＫ／ＮＡＣＫを示す。ＤＴＸ（ＤＴＸ（Ｄｉｓｃｏｎｔｉｎｕｏｕｓ  Ｔｒａｎｓｍｉｓｓｉｏｎ）は、該当するＤＬサブフレームでＰＤＳＣＨ上にＤＬ送信ブロックを受信することができない、または対応するＰＤＣＣＨを検出することができないことを意味する。前記表８によると、３個のＰＵＣＣＨリソース（ｎ（１）ＰＵＣＣＨ，０、ｎ（１）ＰＵＣＣＨ，１、ｎ（１）ＰＵＣＣＨ，２）があり、ｂ（０）及びｂ（１）は、選択されたＰＵＣＣＨを利用して送信される２個のビットである。
【０１４８】
例えば、端末が３個のＤＬサブフレームで３個のＤＬ送信ブロックを全部成功的に受信すると、端末は、ｎ（１）ＰＵＣＣＨ，２を利用してビット（１，１）をＱＰＳＫ変調し、ＰＵＣＣＨ上に送信する。端末が１番目の（ｉ＝０）ＤＬサブフレームでＤＬ送信ブロックのデコーディングに失敗し、残りでデコーディングに成功すると、端末はｎ（１）ＰＵＣＣＨ，２を利用してビット（１，０）をＰＵＣＣＨ上に送信する。
【０１４９】
チャネル選択で、少なくとも一つのＡＣＫがある場合、ＮＡＣＫとＤＴＸは、一対になる（ｃｏｕｐｌｅ）。その理由は、予約された（ｒｅｓｅｒｖｅｄ）ＰＵＣＣＨリソースとＱＰＳＫシンボルとの組合せでは全てのＡＣＫ／ＮＡＣＫ／ＤＴＸ状態を示すことができないためである。しかし、ＡＣＫがない場合、ＤＴＸは、ＮＡＣＫと分離される（ｄｅｃｏｕｐｌｅ）。
【０１５０】
既存ＰＵＣＣＨフォーマット１ｂは、２ビットのＡＣＫ／ＮＡＣＫのみを送信することができる。しかし、チャネル選択を利用したＰＵＣＣＨフォーマット１ｂは、割り当てられたＰＵＣＣＨリソースと変調シンボル（２ビット）との組合せを複数個のＡＣＫ／ＮＡＣＫの状態とリンクすることで、より多いＡＣＫ／ＮＡＣＫ状態を示す。
【０１５１】
一方、ＵＬサブフレームｎにＭ個のＤＬサブフレームが連結されているとする時、ＤＬサブフレーム（または、ＰＤＣＣＨ）の損失（ｍｉｓｓｉｎｇ）による基地局と端末との間のＡＣＫ／ＮＡＣＫの不一致（ｍｉｓｍａｔｃｈ）が発生できる。
【０１５２】
Ｍ＝３であり、基地局が３個のＤＬサブフレームを介して３個のＤＬ送信ブロックを送信すると仮定する。端末は、２番目のＤＬサブフレームでＰＤＣＣＨを検出することができなくて２番目の送信ブロックを全く受信することができず、残りの１番目と３番目の送信ブロックのみを受信することができる。このとき、ＡＣＫ／ＮＡＣＫバンドリングが使われると、端末は、ＡＣＫを送信するようになるエラーが発生する。
【０１５３】
このようなエラーを解決するために、ダウンリンク割当インデックス（Ｄｏｗｎｌｉｎｋ  Ａｓｓｉｇｎｍｅｎｔ  Ｉｎｄｅｘ：ＤＡＩ）がＰＤＣＣＨ上のＤＬグラントに含まれる。ＤＡＩは、割り当てられたＰＤＳＣＨ送信を有するＰＤＣＣＨの蓄積された（ａｃｃｕｍｕｌａｔｉｖｅ）数を指示する。２ビットのＤＡＩの値は、１から順次に増加し、ＤＡＩ＝４からは再びモジュロ−４演算が適用されることができる。例えば、Ｍ＝５であり、５個のＤＬサブフレームの全てがスケジューリングされると、ＤＡＩ＝１、２、３、４、１の順に対応するＰＤＣＣＨに含まれることができる。
【０１５４】
ＴＤＤで、ＵＬ−ＤＬ設定５であり、端末が２以上のサービングセルアグリゲーションをサポートしない場合、バンドリングのみがサポートされる。
【０１５５】
ＴＤＤで、２以上のサービングセルアグリゲーションをサポートする端末の場合、２以上のサービングセルが設定されると、チャネル選択を利用するＰＵＣＣＨフォーマット１ｂ（ＰＵＣＣＨ  ｆｏｒｍａｔ  １ｂ  ｗｉｔｈ  ｃｈａｎｎｅｌ  ｓｅｌｅｃｔｉｏｎ）またはＰＵＣＣＨフォーマット３のうち一つを上位階層設定によって利用してＡＣＫ／ＮＡＣＫを送信する。
【０１５６】
ＴＤＤで、２以上のサービングセルアグリゲーションをサポートする端末がバンドリングを使用するように上位階層信号により設定され、一つのサービングセルが設定された場合もチャネル選択を利用するＰＵＣＣＨフォーマット１ｂ（ＰＵＣＣＨ  ｆｏｒｍａｔ  １ｂ  ｗｉｔｈ  ｃｈａｎｎｅｌ  ｓｅｌｅｃｔｉｏｎ）またはＰＵＣＣＨフォーマット３のうち一つを上位階層設定によって利用してＡＣＫ／ＮＡＣＫを送信することができる。
【０１５７】
チャネル選択を利用するＰＵＣＣＨフォーマット１ｂを介して、２以上のサービングセルに対するＡＣＫ／ＮＡＣＫを送信する場合、チャネル選択に利用されるＰＵＣＣＨリソースの個数（これをＡと表示する）によって、以下の表のように、ＨＡＲＱ−ＡＣＫ（ｉ）と｛ＰＵＣＣＨリソース及び送信ビット｝との間のマッピング表が定義されることができる。
【０１５８】
【表９】
0005965069.tif 000014
【０１５９】
【表１０】
0005965069.tif 000015
【０１６０】
【表１１】
0005965069.tif 000016
【０１６１】
表９は、Ａ＝２、表１０はＡ＝３、表１１はＡ＝４の場合に対するものである。
【０１６２】
ＦＤＤでも前記表９乃至表１１と類似する表が定義され、それによって、ＡＣＫ／ＮＡＣＫを送信することができる。
【０１６３】
次世代無線通信システムでは、ＭＴＣ（ｍａｃｈｉｎｅ  ｔｙｐｅ  ｃｏｍｍｕｎｉｃａｔｉｏｎ）、ＭＵ−ＭＩＭＯ（ｍｕｌｔｉ−ｕｓｅｒ  ｍｕｌｔｉ−ｉｎｐｕｔ  ｍｕｌｔｉ−ｏｕｔｐｕｔ）、互いに異なるＵＬ−ＤＬ設定を使用するＴＤＤセル間のキャリアアグリゲーションなどが使われることができる。また、同時にスケジューリングされる端末の個数が増加されることができる。
【０１６４】
したがって、既存データチャネルをスケジューリングする制御チャネルが足りないことがある。３ＧＰＰ  ＬＴＥでは、制御チャネルであるＰＤＣＣＨのリソース不足現象を解決するために、複数のサブフレームまたは複数のセルを介して送信される複数のＰＤＳＣＨを一つのＰＤＣＣＨを介してスケジューリングするバンドリングされたスケジューリング（ｂｕｎｄｌｅｄ  ｓｃｈｅｄｕｌｉｎｇ）を考慮し、またはＰＤＣＣＨ活用を柔軟にするために、交差サブフレームスケジューリング（ｃｒｏｓｓ−サブフレーム  ｓｃｈｅｄｕｌｉｎｇ）を考慮している。交差サブフレームスケジューリングは、ＰＤＳＣＨが送信されるサブフレームでない他のサブフレームで、ＰＤＳＣＨをスケジューリングするＰＤＣＣＨが送信することができるようにする。また、既存ＰＤＣＣＨ以外にＥ−ＰＤＣＣＨ（ｅｎｈａｎｃｅｄ−ＰＤＣＣＨ）の導入も考慮している。
【０１６５】
＜Ｅ−ＰＤＣＣＨ＞
【０１６６】
図１１は、Ｅ−ＰＤＣＣＨ割当の一例を示す。
【０１６７】
ＬＴＥ−Ａでは、データ領域内に新しい制御チャネルであるＥ−ＰＤＣＣＨを割り当てて使用することを考慮している。Ｅ−ＰＤＣＣＨは、ＰＤＳＣＨが送信されるデータ領域に構成される制御チャネルであり、端末特定的な参照信号を利用して復調を実行する制御チャネルである。即ち、Ｅ−ＰＤＣＣＨは、割り当てられる領域、復調に利用される参照信号で既存の制御チャネルであるＰＤＣＣＨと明確に区分される。
【０１６８】
一方、Ｅ−ＰＤＣＣＨもＰＤＣＣＨと同様に、Ｅ−ＣＣＥ（ｅｎｈａｎｃｅｄ−ＣＣＥ）を構成し、これに基づいた黙示的ＰＵＣＣＨリソースマッピングを適用することができる。Ｅ−ＣＣＥは、Ｅ−ＰＤＣＣＨを構成する構成単位である。Ｅ−ＣＣＥに含まれるリソース量は、ＰＤＣＣＨを構成するＣＣＥに含まれるリソース量と同じまたは異なる。また、ＡＲＩがＥ−ＰＤＣＣＨに含まれる場合、ＡＲＩを利用した指示値を明示的ＰＵＣＣＨリソース選択に使用することができる。
【０１６９】
以下、本発明に対して説明する。
【０１７０】
前述したように、ＬＴＥシステムでは、ＦＤＤ方式とＴＤＤ方式のフレーム構造タイプが存在する。
【０１７１】
ＦＤＤ方式の場合、同じ時点にＵＬサブフレームとＤＬサブフレームが常に１：１に存在し、それに対し、ＴＤＤ方式の場合、ＤＬサブフレームとＵＬサブフレームの比がＵＬ−ＤＬ設定別に異なる。したがって、ＴＤＤ方式の場合、ＤＬ／ＵＬのトラフィック比率によって周波数リソースを効率的に活用することができるという長所がある。
【０１７２】
しかし、ＵＬ−ＤＬ設定の変更（再設定）には相当な時間遅延が発生できる。例えば、ＵＬ−ＤＬ設定を変更するためには、既存進行中のＨＡＲＱプロセスの終了を待ち、またはこれを中断しなければならない。したがって、トラフィックが実時間で急変する場合、ＵＬ−ＤＬ設定を適応的に変更させる動作には限界がある。
【０１７３】
したがって、サブフレームのＵＬ／ＤＬ適用可否を動的に設定することができる柔軟なＵＬ／ＤＬサブフレーム（ｆｌｅｘｉｂｌｅ  ＵＬ／ＤＬサブフレーム）適用方法、互いに異なるＵＬ−ＤＬ設定が適用されるセルのアグリゲーション、ＦＤＤセル（または、ＤＬサブフレームのみで構成されたセル、ＵＬサブフレームのみで構成されたセル）とＴＤＤセルをアグリゲーションする方法などのように、より効率的なリソースを活用するための方法が考慮されている。
【０１７４】
セルのＵＬ−ＤＬ設定を多様に構成する時、ＤＬにスケジューリングされるデータチャネル（例えば、ＰＤＳＣＨ）または制御チャネル（より具体的には、ＡＣＫ／ＮＡＣＫ応答が必要な制御チャネル、例えば、ＤＬ  ＳＰＳ解除ＰＤＣＣＨ）に対する正常受信可否を知らせる複数のＡＣＫ／ＮＡＣＫ応答構成方法として、チャネル選択を利用するＰＵＣＣＨフォーマット１ｂを使用することができる。この場合、従来は各セルが同じＵＬ−ＤＬ設定を使用することを前提としてアップリンク送信電力を決定したが、将来は各セルが互いに異なるＵＬ−ＤＬ設定を使用することができる。したがって、新しいアップリンク（ＵＬ）送信電力制御方法が必要である。
【０１７５】
既存ＬＴＥシステムでは、ＦＤＤの場合、ＤＬサブフレームとＵＬサブフレームがサブフレーム毎に連続的に存在し、その数が１：１にマッチングされるため、ＵＬ  ＡＣＫ／ＮＡＣＫ応答を要求するＤＬデータチャネルまたはＤＬ制御チャネルに対するＡＣＫ／ＮＡＣＫ応答タイミングが一定に維持される。例えば、サブフレームｎで送信されるＡＣＫ／ＮＡＣＫは、サブフレームｎ−４のＤＬデータチャネルまたはＤＬ制御チャネルに対するＡＣＫ／ＮＡＣＫになる。
【０１７６】
それに対し、ＴＤＤの場合、各サブフレームがＵＬ−ＤＬ設定によって（ここで、スペシャルサブフレームは、便宜上、ＤＬサブフレームと見なす）ＤＬサブフレームまたはＵＬサブフレームになり、ＤＬサブフレームとＵＬサブフレームの比が１：１にマッチングされない場合がある。したがって、一つのＵＬサブフレームに対応されるＤＬサブフレームの個数は、複数であるＭ個になることができる。
【０１７７】
一方、将来の無線通信システムでは、サブフレームのＵＬ／ＤＬ適用可否を動的に設定することができる柔軟なＵＬ／ＤＬサブフレーム適用方法、互いに異なるＵＬ−ＤＬ設定が設定されたセルのアグリゲーション、ＦＤＤセルとＴＤＤセルのアグリゲーションなど、より効率的なセルリソースを活用するための方法などが使われることができる。この場合、スケジューリングを実行するスケジューリングセルとスケジューリングを受けるセル、ＡＣＫ／ＮＡＣＫを送信するセルの位置設定などによってＦＤＤ／ＴＤＤ  ＤＬ  ＨＡＲＱ−ＡＣＫタイミング（以下、ＡＣＫ／ＮＡＣＫタイミングという）が変わることができる。
【０１７８】
このようなＡＣＫ／ＮＡＣＫタイミングの関係を単純化させるために、以下の表に定義されたＡＣＫ／ＮＡＣＫタイミングを利用することができる。
【０１７９】
【表１２】
0005965069.tif 000017
【０１８０】
前記表において、ＬＴＥ−Ａ  Ｒｅｌ−１１では、ＦＤＤセル間、ＴＤＤセル間のアグリゲーションのみを許容するため、最後の行のＡＣＫ／ＮＡＣＫタイミングは除外されることができ、次期のＦＤＤとＴＤＤセルのアグリゲーションが許容される場合、前記表の最後の行も適用可能である。
【０１８１】
図１２は、互いに異なるＵＬ−ＤＬ設定を使用するセルのアグリゲーションでＡＣＫ／ＮＡＣＫタイミングを示す例である。
【０１８２】
図１２を参照すると、プライマリセルはＵＬ−ＤＬ設定４が使われ、セカンダリセルはＵＬ−ＤＬ設定３が使われることができる。
【０１８３】
各セルは、フレーム内のサブフレーム構造を決定するための第１のＵＬ−ＤＬ設定とＡＣＫ／ＮＡＣＫタイミングを決定するための第２のＵＬ−ＤＬ設定を使用することができる。第１のＵＬ−ＤＬ設定は、該当セルのＳＩＢ１（ｓｙｓｔｅｍ  ｉｎｆｏｒｍａｔｉｏｎ  ｂｌｏｃｋ  １）を介して設定されるセル特定的ＵＬ−ＤＬ設定である。第２のＵＬ−ＤＬ設定は、ＡＣＫ／ＮＡＣＫと対応されるＤＬサブフレームを決定するための基準ＵＬ−ＤＬ設定である。図１２において、２個のサブフレームを連結する矢印は、ＤＬサブフレームと、前記ＤＬサブフレームに対するＡＣＫ／ＮＡＣＫを送信するＵＬサブフレームとを連結しており、矢印に記載された数字は、前記ＤＬサブフレームを基準にして前記ＵＬサブフレームが何サブフレーム後のサブフレームかを示す（図１３乃至図１５でも同様である）。
【０１８４】
図１３及び図１４は、プライマリセルとセカンダリセルでセル特定的ＵＬ−ＤＬ設定及び基準ＵＬ−ＤＬ設定の例を示す。
【０１８５】
例えば、セカンダリセルのセル特定的ＵＬ−ＤＬ設定（第１のＵＬ−ＤＬ設定）はＵＬ−ＤＬ設定３であり、ＡＣＫ／ＮＡＣＫタイミング決定のために使われる基準ＵＬ−ＤＬ設定（第２のＵＬ−ＤＬ設定）はＵＬ−ＤＬ設定４である。
【０１８６】
このような場合、第２のＵＬ−ＤＬ設定によると、ＡＣＫ／ＮＡＣＫタイミングが規定されるが、第１のＵＬ−ＤＬ設定によると、不要なＡＣＫ／ＮＡＣＫタイミングが発生できる。
【０１８７】
図１３乃至図１４において、セカンダリセルのサブフレーム４（１２２）は、第１のＵＬ−ＤＬ設定によると、ＵＬサブフレームであるが、第２のＵＬ−ＤＬ設定によると、ＤＬサブフレームである。即ち、前記サブフレーム４（１２２）は、第２のＵＬ−ＤＬ設定によると、ＤＬサブフレームと仮定され、対応されるＡＣＫ／ＮＡＣＫタイミングが与えられる。しかし、第１のＵＬ−ＤＬ設定によると、サブフレーム４（１２２）は、ＵＬサブフレームであるため、前記サブフレーム４（１２２）でＤＬデータや制御チャネルが基地局によって送信されない。したがって、前記サブフレーム４（１２２）に対するＡ／Ｎ送信リソース確保は不要である。
【０１８８】
端末がチャネル選択を利用するＰＵＣＣＨフォーマット１ｂを適用する時、ＡＣＫ／ＮＡＣＫの対象となるＤＬサブフレームは、下記のような方法のうち一つに決定されることができる。
【０１８９】
１．セルｃに対して、セル特定的ＵＬ−ＤＬ設定を基準にして、表１２によってＵＬサブフレームに規定されたＫｃに対応されるＤＬサブフレームは、前記ＵＬサブフレームで送信されるＡＣＫ／ＮＡＣＫの対象となるＤＬサブフレームに決定できる。Ｋｃの要素の個数をＭｃとする時、前記ＵＬサブフレームに対応されるＤＬサブフレームの個数はＭｃ個になる。即ち、第１のＵＬ−ＤＬ設定によってＵＬサブフレームに対応されるＤＬサブフレーム、ＡＣＫ／ＮＡＣＫタイミングが決定される。
【０１９０】
２．セルｃに対して、ＡＣＫ／ＮＡＣＫタイミング決定のために使われるＵＬ−ＤＬ設定を基準に、表１２によってＵＬサブフレームに規定されたＫＲＥＦ，ｃに対応されるＤＬサブフレームは、前記ＵＬサブフレームで送信されるＡＣＫ／ＮＡＣＫの対象となるＤＬサブフレームに決定できる。ＫＲＥＦ，ｃの要素の個数をＭＲＥＦ，ｃとする時、前記ＵＬサブフレームに対応されるＤＬサブフレームの個数はＭＲＥＦ，ｃ個になる。即ち、第２のＵＬ−ＤＬ設定によってＵＬサブフレームに対応されるＤＬサブフレーム、ＡＣＫ／ＮＡＣＫタイミングが決定される。
【０１９１】
３．セルｃに対して、まず、ＡＣＫ／ＮＡＣＫタイミング決定のために使われるＵＬ−ＤＬ設定を基準に、表１２によってＵＬサブフレームに規定されたＫＲＥＦ，ｃに対応されるＤＬサブフレームを決定した後、有効なＤＬサブフレームのみを前記ＵＬサブフレームで送信されるＡＣＫ／ＮＡＣＫの対象となるＤＬサブフレームに決定することができる。
【０１９２】
有効なＤＬサブフレームとは、無効なＤＬサブフレームでないＤＬサブフレームである。無効なＤＬサブフレームは、前述したように、第２のＵＬ−ＤＬ設定によると、ＡＣＫ／ＮＡＣＫタイミングが規定されるが、第１のＵＬ−ＤＬ設定によると、不要なＡＣＫ／ＮＡＣＫタイミングが発生するＤＬサブフレームである。
【０１９３】
ＫＲＥＦ，ｃに含まれている無効なＤＬサブフレームの集合をＫｉｎｖａｌｉｄＲＥＦ，ｃとし、有効なＤＬサブフレームの集合をＫｖａｌｉｄＲＥＦ，ｃとする。ＫＲＥＦ，ｃの要素の個数をＭＲＥＦ，ｃとし、ＫｖａｌｉｄＲＥＦ，ｃの要素の個数をＭｖａｌｉｄＲＥＦ，ｃとし、ＫｉｎｖａｌｉｄＲＥＦ，ｃの要素の個数をＭｉｎｖａｌｉｄＲＥＦ，ｃとすると、ＭｖａｌｉｄＲＥＦ，ｃ＝ＭＲＥＦ，ｃ−ＭｉｎｖａｌｉｄＲＥＦ，ｃになる。
【０１９４】
ＭＲＥＦ，ｃは、サービングセルｃ、第２のＵＬ−ＤＬ設定に対するＡＣＫ／ＮＡＣＫ送信サブフレームであるＵＬサブフレームｎに対応されるＤＬサブフレームｎ−ｋｉでＫの要素の個数である。ＭｖａｌｉｄＲＥＦ，ｃは、サービングセルｃ、第２のＵＬ−ＤＬ設定に対するＡＣＫ／ＮＡＣＫ送信サブフレームであるＵＬサブフレームｎに対応されるＤＬサブフレームｎ−ｋｉで有効なＤＬサブフレームの個数である。ＭｉｎｖａｌｉｄＲＥＦ，ｃは、サービングセルｃ、第２のＵＬ−ＤＬ設定に対するＡＣＫ／ＮＡＣＫ送信サブフレームであるＵＬサブフレームｎに対応されるＤＬサブフレームｎ−ｋｉで有効でないＤＬサブフレームの個数である。
【０１９５】
前記１．の方式は、セル特定的ＵＬ−ＤＬ設定（第１のＵＬ−ＤＬ設定）によるＡＣＫ／ＮＡＣＫ送信対象ＤＬサブフレームを決定することであり、セカンダリセルの一部サブフレームに対してはＡＣＫ／ＮＡＣＫを送信されない場合が発生できる。前記２．の方式は、第２のＵＬ−ＤＬ設定によってＡＣＫ／ＮＡＣＫ送信対象ＤＬサブフレームを決定することであり、実際スケジュールが不可能で不要なリンクに対するＡＣＫ／ＮＡＣＫが含まれるという短所がある。しかし、ＵＬ−ＤＬ設定の組合せ別に変わるサブフレームの有効可否に関係なしにＡＣＫ／ＮＡＣＫを送信することができるという長所がある。前記３．の方式は、第２のＵＬ−ＤＬ設定に従い、有効ＤＬサブフレームのみでＡＣＫ／ＮＡＣＫ送信対象ＤＬサブフレームを決定することであり、これは不要なＡＣＫ／ＮＡＣＫを除外するため、効果的にＡＣＫ／ＮＡＣＫを送信することができる。
【０１９６】
ＤＬサブフレームの有効／無効は、キャリアアグリゲーション状況でＤＬデータ（及び／または、ＤＬ制御情報）の送信可能可否により決定されることができる。第２のＵＬ−ＤＬ設定が設定された時のＤＬサブフレームの有効／無効可否は、下記のように決定されることができる。説明の便宜のために、スペシャルサブフレームに対する考慮は別にする。
【０１９７】
セル特定的ＵＬ−ＤＬ設定（第１のＵＬ−ＤＬ設定）による送信方向（即ち、ＵＬまたはＤＬ）と、基準ＵＬ−ＤＬ設定（第２のＵＬ−ＤＬ設定）による送信方向が一致しないサブフレームの場合、端末は、該当サブフレームを使用しないサブフレーム（これをＸサブフレームという）に指定することができる。即ち、Ｘサブフレームは使われないサブフレームである。例えば、ハーフデュプレックス（Ｈａｌｆ−ｄｕｐｌｅｘ）をサポートする端末にキャリアアグリゲーションが適用された時、アグリゲーションされた複数のセルの各々のＳＩＢを介して送信されるセル特定的ＵＬ−ＤＬ設定が異なることもある。例えば、セルＡ及びＢがキャリアアグリゲーションされた場合、セルＡのＵＬ−ＤＬ設定によると、‘Ｄ’として使用し、セルＢのＵＬ−ＤＬ設定によると、‘Ｕ’として使われるサブフレームが発生できる。即ち、複数のセルで送信方向が異なるように設定されたサブフレームが発生できる。このようなサブフレームは、該当端末が使用することができないサブフレームになる。
【０１９８】
互いに異なるＵＬ−ＤＬ設定が設定されたセルがアグリゲーションされ、フルデュプレックスで動作する端末の場合に対して説明する。
【０１９９】
セルｃの基準ＵＬ−ＤＬ設定がセル特定的ＵＬ−ＤＬ設定と同じ場合、特別なＤＬサブフレームスケジューリングに制約がない場合、ＭｉｎｖａｌｉｄＲＥＦ，ｃ＝０である。非交差キャリアスケジューリングの場合が例になることができ、プライマリセルが例になることができる。
【０２００】
セルｃが交差キャリアスケジューリングされ、スケジューリングするスケジューリングセルのｎ−ｋｉサブフレームがＤＬサブフレームでない場合、このサブフレームは無効ＤＬサブフレームになる。ただ、交差サブフレームスケジューリングやバンドリングされたサブフレームスケジューリングがサポートされないと仮定する。
【０２０１】
セルｃの基準ＵＬ−ＤＬ設定がセル特定的ＵＬ−ＤＬ設定と異なる場合、基準ＵＬ−ＤＬ設定によって定義されたｎ−ｋｉサブフレームが、セル特定的ＵＬ−ＤＬ設定によるとき、ＤＬサブフレームでない場合、このサブフレームは無効ＤＬサブフレームになる。
【０２０２】
例えば、セカンダリセルにおいて、セル特定的ＵＬ−ＤＬ設定でＤＬサブフレームがプライマリセルのセル特定的ＵＬ−ＤＬ設定によるとき、ＤＬサブフレームであるサブフレームの部分集合の場合、セカンダリセルの基準ＵＬ−ＤＬ設定は、プライマリセルのＵＬ−ＤＬ設定になることができる。この場合、プライマリセルの有効ＤＬサブフレームと積集合でないセカンダリセルのＤＬサブフレームは、無効ＤＬサブフレームになる。
【０２０３】
例えば、セカンダリセルのセル特定的ＵＬ−ＤＬ設定とプライマリセルのセル特定的ＵＬ−ＤＬ設定のＵＬサブフレーム積集合（即ち、プライマリセル、セカンダリセルの両方ともＵＬサブフレームであるサブフレームの集合）に全てのＵＬサブフレームが含まれる表１２のＵＬ−ＤＬ設定が、セカンダリセルの基準ＵＬ−ＤＬ設定になることができる。好ましくは、この中から、ＵＬサブフレームの個数が（ＤＬサブフレーム対比）最も多いことを選択することができる。基準ＵＬ−ＤＬ設定とＤＬサブフレーム積集合（セル特定的、基準ＵＬ−ＤＬ設定の両方ともでＵＬサブフレームに設定されるサブフレーム）に該当しないサブフレームは、セカンダリセルの無効サブフレームになる。
【０２０４】
互いに異なるＵＬ−ＤＬ設定が設定されたセル間のキャリアアグリゲーションでハーフデュプレックスで動作する端末の場合に対して説明する。
【０２０５】
セルｃの基準ＵＬ−ＤＬ設定がセル特定的ＵＬ−ＤＬ設定と同じであるとしても、アグリゲーションされたセルの送信方向によってＸサブフレームが発生でき、このようなＸサブフレームは無効サブフレームになる。
【０２０６】
プライマリセルは、セル特定的ＵＬ−ＤＬ設定と基準ＵＬ−ＤＬ設定が同じであり、プライマリセルの送信方向をアグリゲーションされたセカンダリセルに適用する場合、プライマリセルにはＸサブフレームが発生しない。したがって、プライマリセルの送信方向をアグリゲーションされた他のセルに適用する場合、プライマリセルにはＸサブフレームが発生ぜす、ＭｉｎｖａｌｉｄＲＥＦ，ｃ＝０になる。
【０２０７】
セカンダリセルの場合、セルｃのセル特定的ＵＬ−ＤＬ設定によるＤＬサブフレームが基準ＵＬ−ＤＬ設定と一致しなくて無効サブフレームになる場合と、セル特定的ＵＬ−ＤＬ設定とアグリゲーションされたセルの送信方向が異なって発生するＸサブフレームが無効サブフレームになる場合がある。
【０２０８】
セルｃの基準ＵＬ−ＤＬ設定がセル特定的ＵＬ−ＤＬ設定と異なる場合、基準ＵＬ−ＤＬ設定に定義されたサブフレームｎ−ｋｉがセル特定的ＵＬ−ＤＬ設定によるとき、ＤＬサブフレームでない場合、このようなサブフレームは、無効ＤＬサブフレームになることができる。そして、セル特定的ＵＬ−ＤＬ設定とアグリゲーションされたセルの送信方向が異なって発生するＸサブフレームである場合、無効サブフレームになることができる。
【０２０９】
例えば、セカンダリセルのセル特定的ＵＬ−ＤＬ設定でＤＬサブフレームがプライマリセルのセル特定的ＵＬ−ＤＬ設定によるとき、ＤＬサブフレームの部分集合の場合、セカンダリセルの基準ＵＬ−ＤＬ設定は、プライマリセルのセル特定的ＵＬ−ＤＬ設定になることができ、この場合、プライマリセルの有効ＤＬサブフレームと積集合でないセカンダリセルのサブフレームは、無効サブフレームになる。ここで、ＤＬサブフレームがＸサブフレームになる場合は発生しない。
【０２１０】
例えば、前記フルデュプレックスの場合と同様に、セカンダリセルであるセルｃのセル特定的ＵＬ−ＤＬ設定とプライマリセルのセル特定的ＵＬ−ＤＬ設定のＵＬサブフレーム積集合（同じサブフレームタイミングでＰＣｅｌｌ及びＳＣｅｌｌの両方ともでＵＬサブフレームであるもの）に全てのＵＬサブフレームが含まれる表１２のＵＬ−ＤＬ設定がセカンダリセルの基準ＵＬ−ＤＬ設定になることができる。好ましくは、この中から、ＵＬサブフレーム個数が（ＤＬサブフレーム対比）最も多いことを選択することができる。この場合、基準ＵＬ−ＤＬ設定とＤＬサブフレーム積集合でないセカンダリセルのサブフレームは、無効サブフレームになる。
【０２１１】
また、セル特定的ＵＬ−ＤＬ設定とアグリゲーションされたセルの送信方向が異なってＸサブフレームが発生する場合、無効サブフレームになることができる。
【０２１２】
図１５は、無効ＤＬサブフレームと有効ＤＬサブフレームを区分する例を示す。
【０２１３】
図１５を参照すると、基準ＵＬ−ＤＬ設定がＵＬ−ＤＬ設定４であり、セル特定的ＵＬ−ＤＬ設定がＵＬ−ＤＬ設定３の場合、Ｘで表示されたＵＬサブフレーム１５１が無効サブフレームになる。
【０２１４】
以下、アップリンク制御チャネルの送信電力決定方法を説明する。
【０２１５】
［ＰＵＣＣＨの送信電力制御］
【０２１６】
サービングセルｃがプライマリセルである場合、端末のサブフレームｉでのＰＵＣＣＨ送信電力ＰＰＵＣＣＨは、以下の数式のように決定されることができる。
【０２１７】
【数３】
0005965069.tif 000018
【０２１８】
前記数式において、ＰＣＭＡＸ，ｃ（ｉ）は、サービングセルｃのサブフレームｉで端末に設定された送信電力である。
【０２１９】
ΔＦ＿ＰＵＣＣＨ（Ｆ）は上位階層で提供され、ΔＦ＿ＰＵＣＣＨ（Ｆ）の値はＰＵＣＣＨフォーマット１ａを基準にするＰＵＣＣＨフォーマット（Ｆ）に対応される値である。ΔＴｘＤ（Ｆ′）は、端末が上位階層により２個のアンテナポートでＰＵＣＣＨを送信するように設定された場合、上位階層により与えられる値であり、その以外は０である。
【０２２０】
ＰＯ＿ＰＵＣＣＨは上位階層により与えられる値であり、ｇ（ｉ）は現在ＰＵＣＣＨ電力制御調節状態である。ＰＬｃは経路損失に対する値である。
【０２２１】
ｈ（ｎＣＱＩ，ｎＨＡＲＱ，ｎＳＲ）はＰＵＣＣＨフォーマットに依存する値であり、ｎＣＱＩはＣＱＩ情報ビットの個数に対応し、ｎＳＲはサブフレームｉでＳＲが設定されると、１または０である。
【０２２２】
ｎＨＡＲＱは、端末に一つのサービングセルが設定される場合、サブフレームｉで送信されるＡＣＫ／ＮＡＣＫビットの個数を示す。その以外の場合は、下記のように決定される。
【０２２３】
１）ＦＤＤで、端末に２個のサービングセルが設定され、チャネル選択を利用するＰＵＣＣＨフォーマット１ｂが設定され、または２以上のサービングセルが設定され、ＰＵＣＣＨフォーマット３が設定されると、ｎＨＡＲＱは、以下の数式のように決定される。
【０２２４】
【数４】
0005965069.tif 000019
【０２２５】
前記数式において、ＮＤＬｃｅｌｌｓは設定されたセルの個数であり、Ｎｒｅｃｅｉｖｅｄｃはサービングセルｃのサブフレームｎ−４で受信した送信ブロックの個数またはＳＰＳ解除ＰＤＣＣＨの個数である。
【０２２６】
即ち、設定された各セルのサブフレームｎ−４で受信した送信ブロック及びＳＰＳ解除ＰＤＣＣＨに対するＡＣＫ／ＮＡＣＫを、サブフレームｎのＰＵＣＣＨを介して送信する場合、前記数式のようにＰＵＣＣＨ送信電力を決定するためのｎＨＡＲＱが決定される。
【０２２７】
２）ＴＤＤで、２個のサービングセルが設定され、チャネル選択を利用するＰＵＣＣＨフォーマット１ｂが設定され、サブフレームｎでのＭ値が１の場合、またはＵＬ−ＤＬ設定０が使われ、ＰＵＣＣＨフォーマット３が設定された場合、ｎＨＡＲＱは、以下の数式のように決定される。
【０２２８】
【数５】
0005965069.tif 000020
【０２２９】
前記数式において、Ｎｒｅｃｅｉｖｅｄｋ，ｃは、サービングセルｃのサブフレームｎ−ｋ（ｋ∈Ｋ）で受信した送信ブロックの個数またはＳＰＳ解除ＰＤＣＣＨの個数である。Ｍは、Ｋの要素の個数である。
【０２３０】
ＴＤＤで、ＵＬ−ＤＬ設定１〜６及びＰＵＣＣＨフォーマット３が設定され、または２個のサービングセルが設定され、チャネル選択を利用するＰＵＣＣＨフォーマット１ｂが設定され、Ｍ＝２の場合、ｎＨＡＲＱは、以下の数式のように決定される。
【０２３１】
【数６】
0005965069.tif 000021
【０２３２】
前記数式において、ＶＤＬＤＡＩ，ｃはサービングセルｃのＶＤＬＤＡＩを示し、端末がサービングセルｃのサブフレームｎ−ｋｍ（ｋｍは、集合Ｋ（表７参照、以下同じ）で端末がＤＣＩフォーマット１／１Ａ／１Ｂ／１Ｄ／２／２Ａ／２Ｂ／２Ｃ／２Ｄを検出した最も小さい値である）でＤＣＩフォーマット１／１Ａ／１Ｂ／１Ｄ／２／２Ａ／２Ｂ／２Ｃ／２Ｄを有するＰＤＣＣＨ／Ｅ−ＰＤＣＣＨのＤＡＩ値を意味する（以下同じ）。ＵＤＡＩ，ｃは、サービングセルｃのＵＤＡＩであり、サービングセルｃのサブフレームｎ−ｋ（ｋ∈Ｋ）でＰＤＳＣＨ送信に関連したＰＤＣＣＨ／Ｅ−ＰＤＣＣＨ及びＤＬ  ＳＰＳ解除を指示するＰＤＣＣＨ／Ｅ−ＰＤＣＣＨの総個数を示す（以下同じ）。ｎＡＣＫｃはサービングセルｃに設定されたＤＬ送信モードに対応するＡＣＫ／ＮＡＣＫビットの個数である。ＡＣＫ／ＮＡＣＫに空間バンドリングが適用される場合、ｎＡＣＫｃ＝１である。そして、Ｎｒｅｃｅｉｖｅｄｋ，ｃは、サービングセルｃのサブフレームｎ−ｋ（ｋ∈Ｋｃ）で受信したＰＤＣＣＨの個数または対応するＰＤＣＣＨがないＰＤＳＣＨの個数である。Ｍｃは、Ｋｃの要素の個数である。ＡＣＫ／ＮＡＣＫに空間バンドリングが適用されない場合、Ｎｒｅｃｅｉｖｅｄｋ，ｃは、サービングセルｃのサブフレームｎ−ｋ（ｋ∈Ｋｃ）で受信した送信ブロックの個数またはＳＰＳ解除ＰＤＣＣＨの個数である。Ｍｃは、Ｋｃの要素の個数である。サービングセルｃのサブフレームｎ−ｋ（ｋ∈Ｋｃ）で送信ブロックまたはＳＰＳ解除ＰＤＣＣＨを検出するいことができない場合、ＶＤＬＤＡＩ，ｃ＝０である。
【０２３３】
ＴＤＤで、２個のサービングセルが設定され、チャネル選択を利用するＰＵＣＣＨフォーマット１ｂが設定され、Ｍ＝３または４の場合、端末がＰＤＳＣＨまたはＤＬ  ＳＰＳ解除ＰＤＣＣＨを一つのサービングセルでのサブフレームｎ−ｋで受信する場合は、ｎＨＡＲＱは２であり、その以外の場合は、ｎＨＡＲＱは４である。
【０２３４】
ＰＵＣＣＨフォーマット１、１ａ、１ｂに対してｈ（ｎＣＱＩ，ｎＨＡＲＱ，ｎＳＲ）は０である。
【０２３５】
チャネル選択を利用するＰＵＣＣＨフォーマット１ｂに対し、端末が２以上のサービングセルが設定された場合は、ｈ（ｎＣＱＩ，ｎＨＡＲＱ，ｎＳＲ）は（ｎＨＡＲＱ−１）／２であり、その以外の場合は、０である。
【０２３６】
ＰＵＣＣＨフォーマット２、２ａ、２ｂ及びノーマルＣＰに対し、ｈ（ｎＣＱＩ，ｎＨＡＲＱ，ｎＳＲ）は、以下の数式のように与えられる。
【０２３７】
【数７】
0005965069.tif 000022
【０２３８】
ＰＵＣＣＨフォーマット２、２ａ、２ｂ及び拡張ＣＰに対し、ｈ（ｎＣＱＩ，ｎＨＡＲＱ，ｎＳＲ）は、以下の数式のように与えられる。
【０２３９】
【数８】
0005965069.tif 000023
【０２４０】
ＰＵＣＣＨフォーマット３に対し、２個のアンテナポートを介してＰＵＣＣＨを送信するように上位階層により設定され、または端末が１１ビットより大きいＡＣＫ／ＮＡＣＫ及びＳＲを送信する場合、ｈ（ｎＣＱＩ，ｎＨＡＲＱ，ｎＳＲ）は以下の数式９のように与えられ、その以外の場合、数式１０のように与えられる。
【０２４１】
【数９】
0005965069.tif 000024
【０２４２】
【数１０】
0005965069.tif 000025
【０２４３】
一方、前述したＰＵＣＣＨの送信電力を決定する方法において、ＴＤＤで端末に複数のセルが設定された場合は、前記複数のセルのＵＬ−ＤＬ設定が全部同じであると前提とした。サブフレームｎで送信されるＰＵＣＣＨの送信電力の決定に必要なパラメータであるｎＨＡＲＱは、Ｍ値によって変わることができ、前記複数のセルのＵＬ−ＤＬ設定が同じ場合、前記複数のセルの同じサブフレームで前記Ｍ値が同じである。しかし、前記複数のセルのＵＬ−ＤＬ設定が異なる場合、前記複数のセルの同じサブフレームでＭ値が変わることができる。
【０２４４】
以下、ＴＤＤで端末に複数のセルが設定され、前記複数のセルのうち少なくとも２個のセルが互いに異なるＵＬ−ＤＬ設定を有する場合、どのような方式にＰＵＣＣＨ送信電力を決定するかに対して説明する。
【０２４５】
図１６は、本発明の一実施例に係るＰＵＣＣＨ送信電力決定方法を例示する。
【０２４６】
図１６を参照すると、端末は、第１のＵＬ−ＤＬ設定を有する第１のセルのサブフレームｎに対応されるダウンリンクサブフレームの個数Ｎ１と、第２のＵＬ−ＤＬ設定を有する第２のセルの前記サブフレームｎに対応されるダウンリンクサブフレームの個数Ｎ２のうち大きい値を選択する（Ｓ１１０）。選択した値をＭとすると、Ｍ＝ｍａｘ（Ｎ１，Ｎ２）である。第１のセルは、端末が基地局との最初接続確立過程（ｉｎｉｔｉａｌ  ｃｏｎｎｅｃｔｉｏｎ  ｅｓｔａｂｌｉｓｈｍｅｎｔ  ｐｒｏｃｅｄｕｒｅ）または接続再確立過程を実行するプライマリセルであり、第２のセルは、前記プライマリセルに追加されるセカンダリセルである。
【０２４７】
その後、前記選択された値に基づいて前記サブフレームｎで送信されるアップリンク制御チャネル（ＰＵＣＣＨ）の送信電力を決定するパラメータ（ｎＨＡＲＱ）を決定する（Ｓ１２０）。ＰＵＣＣＨは、プライマリセルを介してのみ送信されることができる。この場合、アップリンク制御チャネル（ＰＵＣＣＨ）の送信電力を決定するパラメータ（ｎＨＡＲＱ）は、プライマリセルのサブフレームｎで送信されるＰＵＣＣＨの送信電力を決定するためである。端末は、前記パラメータに基づいてＰＵＣＣＨの送信電力を決定することができる。ＰＵＣＣＨの送信電力を決定する過程に対しては、前記数式３乃至数式１０を参照して説明した。
【０２４８】
例えば、前記選択された値（Ｍ）は、３または４であり、このとき、前記ＰＵＣＣＨの送信電力を決定するパラメータ値は、前記第１のセル及び前記第２のセルのうち１個のセルのサブフレームｎ−ｋ（ｋ∈Ｋ、Ｋは表７参照）で、データチャネルまたはセミパーシステントスケジューリングの解除を指示する制御チャネルを受信した場合は２であり、その以外の場合は４である。
【０２４９】
例えば、ＴＤＤで、端末に２個のサービングセルが設定され、チャネル選択を利用するＰＵＣＣＨフォーマット１ｂが設定され、Ｍ＝３または４の場合、端末がＰＤＳＣＨまたはＤＬ  ＳＰＳ解除ＰＤＣＣＨを一つのサービングセルでのサブフレームｎ−ｋで受信する場合、ｎＨＡＲＱは２であり、その以外の場合、ｎＨＡＲＱは４である。即ち、前記パラメータ値は、第１のセル及び第２のセルが同じＵＬ−ＤＬ設定を有する時（即ち、前記第１のＵＬ−ＤＬ設定、第２のＵＬ−ＤＬ設定のうち、前記Ｎ１及びＮ２のうち大きい値を提供するＵＬ−ＤＬ設定を第１のセル及び第２のセルが共通的に有する場合）の、サブフレームｎで送信されるアップリンク制御チャネルの送信電力を決定するパラメータ値と同じである。端末は、Ｍ＝４または３でのチャネル選択を利用するＰＵＣＣＨフォーマット１ｂを利用してＡＣＫ／ＮＡＣＫを送信する。
【０２５０】
第１のセルは、端末が基地局との最初接続確立過程（ｉｎｉｔｉａｌ  ｃｏｎｎｅｃｔｉｏｎ  ｅｓｔａｂｌｉｓｈｍｅｎｔ  ｐｒｏｃｅｄｕｒｅ）または接続再確立過程を実行するプライマリセルであり、第２のセルは、前記プライマリセルに追加されるセカンダリセルである。
【０２５１】
以下、端末に設定された複数のセルで有することができるＭ値の組合せによって端末がＡＣＫ／ＮＡＣＫを送信する過程とＰＵＣＣＨ送信電力を決定するためのパラメータｎＨＡＲＱを決定する多様な例を説明する。
【０２５２】
従来、同じＵＬ−ＤＬ設定を有する２個のセルがアグリゲーションされた場合、チャネル選択を利用するＰＵＣＣＨフォーマット１ｂを適用する時は、下記のような方法が使われる。
【０２５３】
１）Ｍ＝３、４の時：各セルのＤＬサブフレームに対してスケジューリングされたデータ／制御チャネルに対して連続的なＡＣＫの個数をチャネル選択方式に送信する。ここで、セルの送信モードが２個の送信ブロックを送信することができる場合は、空間バンドリングされたＡＣＫの個数をカウンティングする。
【０２５４】
２）Ｍ＝２の時：各セルの２個のＤＬサブフレームに対する総４個のＡＣＫ／ＮＡＣＫをチャネル選択方式に送信する。セルの送信モードが２個の送信ブロックを送信することができる場合は、空間バンドリングされたＡＣＫ／ＮＡＣＫを送信する。
【０２５５】
３）Ｍ＝１の時：各セルの最大スケジューリングされる送信ブロックの個数によってチャネル選択に使われるリソースの個数が決定される。２個のセルで送信される送信ブロックの個数を（第１のセルのＴＢ個数、第２のセルのＴＢ個数）のように表現すると、（１ＴＢ，１ＴＢ）の場合はリソース２個、（１ＴＢ，２ＴＢ）または（２ＴＢ，１ＴＢ）である場合はリソース３個、（２ＴＢ，２ＴＢ）である場合はリソース４個を使用したチャネル選択方法が使われる。
【０２５６】
このような方法は、最大にスケジューリングされると仮定した状態で可能なバンドリングされないＡＣＫ／ＮＡＣＫを送信するためである。
【０２５７】
実際端末にスケジューリングされるデータ／制御チャネルが最大でない場合、基地局がデコーディング時にテストする仮定の数が減り、ＰＵＣＣＨの送信電力を最大仮定の数に合わせて構成する場合、不要な電力浪費が発生できる。基地局がスケジューリングしないデータ／制御チャネルの場合、常にＮＡＣＫにマッピングされ、ＰＵＣＣＨリソースとコンステレーションの選択に変化を与えない。
【０２５８】
例えば、Ｍ＝３または４の時、プライマリセルのみがスケジューリングされた場合、セカンダリセルに対するＡＣＫ／ＮＡＣＫは、ＮＡＣＫに固定され、プライマリセルに対するＡＣＫ／ＮＡＣＫのみが考慮されるため、２ビットのデコーディングのための送信電力のみ必要になる。したがって、端末は、ＡＣＫ／ＮＡＣＫが発生する実際スケジュールされた状態を考慮したｎＨＡＲＱを決定し、これに比例した電力をＰＵＣＣＨに割り当てる。
【０２５９】
既に前述したが、再び整理すると、従来ＴＤＤで同じＵＬ−ＤＬ設定を有する２個のセルをアグリゲーションし、端末がチャネル選択を利用するＰＵＣＣＨフォーマット１ｂを使用してＡＣＫ／ＮＡＣＫを送信する場合、ＵＬサブフレームによって決定されるＭ値によって、ｎＨＡＲＱは、下記のように決定される。
【０２６０】
１）Ｍ＝１の場合：受信されたコードワード（送信ブロック）の個数とＡＣＫ／ＮＡＣＫ応答を要求する制御チャネルの和。ＦＤＤも同じである。
【０２６１】
２）Ｍ＝２の場合：２個のコードワードが受信されても、前記２個のコードワードに対するＡＣＫ／ＮＡＣＫは、空間バンドリングが適用されて一つのＡＣＫ／ＮＡＣＫに送信される。端末が受信した制御チャネル（ＰＤＳＣＨをスケジューリングするＰＤＣＣＨとＳＰＳ活性化ＰＤＣＣＨ、ＳＰＳ解除ＰＤＣＣＨを含む）の個数、対応される制御チャネルがないＰＤＳＣＨの個数、端末が受信失敗したと判断した制御チャネル（これはＤＬ  ＤＡＩ値を介して類推可能）の個数の和。
【０２６２】
３）Ｍ＞２の場合：端末が１個のセルを介してのみスケジューリングを受けたと判断した場合（即ち、データチャネル、ＡＣＫ／ＮＡＣＫ応答を要求する制御チャネルの全てが１個のセルでのみ受信した場合）は２であり、その以外の場合は４である。
【０２６３】
一方、アグリゲーションされた２個のサービングセルをｘ、ｙとする。そして、一つのＵＬサブフレームで送信されるＡＣＫ／ＮＡＣＫの送信対象となるＤＬサブフレームをセルｘ、ｙの各々でＭｘ、Ｍｙとする。この場合、Ｍｘ、Ｍｙは、前述した１．乃至３．のうち一つにより決定されることができる。
【０２６４】
Ｍｘ、Ｍｙが互いに異なる値である場合、ｎＨＡＲＱは、下記のような方法のうち一つが利用されることができる。
【０２６５】
プライマリセルのＭｘは、前記１．の方法が常に適用されることができ、セカンダリセルのＭｙは、前記２．の方法または前記３．の方法が適用されることができる。
【０２６６】
以下、（Ｍｘ，Ｍｙ）の組合せによって最適の送信電力割当方法を説明する。
【０２６７】
以下、ＳＰＳがセカンダリセルにも適用されることができる。ＳＰＳがプライマリセルにのみ適用される場合、セカンダリセルに対応されるセルに対する内容でＳＰＳ関連内容は除外されることができる。
【０２６８】
Ｉ．（Ｍｘ，Ｍｙ）＝（４，１）または（３，１）である場合
【０２６９】
Ｍ値をＭｘ、Ｍｙのうち最大値によって決定する。即ち、Ｍ＝ｍａｘ（Ｍｘ，Ｍｙ）である。その後、Ｍ＝４または３でのチャネル選択を利用するＰＵＣＣＨフォーマット１ｂを利用してＡＣＫ／ＮＡＣＫを送信する。
【０２７０】
１．１．Ａ．最適の電力割当方法。
【０２７１】
端末が２個のセルを介してスケジューリングを受けた時、セルｘに対する連続的なＡＣＫカウンティングにより、ＡＣＫの個数は、０（４）、１、２、３の値が可能であるため、総４個の仮定（ｈｙｐｏｔｈｅｓｅｓ）が必要である。それに対し、セルｙに対する連続的なＡＣＫカウンティングにより可能な値は０、１であるため、二つの仮定が必要である。
【０２７２】
チャネル選択により判別するようになる総仮定の数は８になり、このとき、最適のｎＨＡＲＱ＝３になる。
【０２７３】
端末が１個のセルを介してのみスケジューリングを受けた時、セルｘに対する連続的なＡＣＫカウンティングにより可能な値は０（４）、１、２、３であるため、４個の仮定が必要である。したがって、ｎＨＡＲＱ＝２になる。セルｙに対する連続的なＡＣＫカウンティングにより可能な値は０、１であるため、二つの仮定が必要であり、ｎＨＡＲＱ＝１になる。
【０２７４】
最大仮定の数が決められているため、不要な電力割当を減らすことができる。
【０２７５】
即ち、端末が２個のサービングセルを介してスケジューリングを受けた時、｛Ｍｐ，Ｍｓ｝＝｛１，４｝、｛１，３｝、｛４，１｝または｛３，１｝であるため、ｎＨＡＲＱ＝３である。ＭｐはプライマリセルでのＭ値であり、ＭｓはセカンダリセルでのＭ値である。端末が一つのサービングセルのみをスケジューリングを受け、Ｍ＝１の場合、ｎＨＡＲＱ＝１である。端末が一つのサービングセルのみをスケジューリングを受け、Ｍ＝３または４の場合、ｎＨＡＲＱ＝２である。
【０２７６】
これを数式に整理すると、下記の通りである。
【０２７７】
【数１１】
0005965069.tif 000026
【０２７８】
ここで、端末がサービングセルｘのサブフレームｎ−ｋ（ｋ∈Ｋｘ）でＳＰＳ解除ＰＤＣＣＨまたはＰＤＳＣＨを受信すると、ｎｘ＝２である。その以外の場合は、ｎｘ＝０である。Ｎｒｅｃｅｉｖｅｄｋ，ｙは、サービングセルｙのサブフレームｎ−ｋ（ｋ∈Ｋｙ）で受信したＰＤＣＣＨの個数または対応するＰＤＣＣＨがないＰＤＳＣＨの個数である。
【０２７９】
セルｘに対する連続的なＡＣＫカウンティング個数をチャネル選択方式に送信する時、１）ＤＡＩ＝１であるＰＤＣＣＨに１個のサブフレームのみがスケジューリングされる場合（例えば、ＤＡＩ＝１であるＰＤＣＣＨにスケジューリングされるＰＤＳＣＨまたはＤＡＩ＝１であるＤＬ  ＳＰＳ解除ＰＤＣＣＨ）または、２）１個のサブフレームでのみ対応するＰＤＣＣＨがないＰＤＳＣＨ（ＳＰＳ  ＰＤＳＣＨ）を受信した場合、連続的なＡＣＫカウンティング個数は０または１になる。これを反映すると、２個のセルの全てがスケジューリングされた場合は、ｎＨＡＲＱ＝２であり、セルｘのみがスケジューリングされた場合は、ｎＨＡＲＱ＝１になる。
【０２８０】
基地局がスケジューリングした最後のＰＤＣＣＨ（例えば、ＳＰＳ  ＰＤＳＣＨがない場合、ＤＡＩ＞１である全てのＰＤＣＣＨ、またはＳＰＳ  ＰＤＳＣＨがある場合、ＤＡＩ＞１である全てのＰＤＣＣＨ）を端末が受信することができない場合は、性能低下が発生するという短所がある。
【０２８１】
これを数式で表現すると、下記の通りである。
【０２８２】
【数１２】
0005965069.tif 000027
【０２８３】
前記数式において、もし、端末が二つ以上のＰＤＳＣＨを受信すると、ｎｘ＝２である。そして、端末がサービングセルｘのサブフレームｎ−ｋ（ｋ∈Ｋｘ）で対応するＰＤＣＣＨがない一つのＰＤＳＣＨのみを受信し、またはＤＡＩ＝１であるＰＤＣＣＨによりスケジューリングされるＰＤＳＣＨを受信し、またはＤＡＩ＝１であるＤＬ  ＳＰＳ解除ＰＤＣＣＨのみを受信する場合は、ｎｘ＝１である。その以外の場合は、ｎｘ＝０である。Ｎｒｅｃｅｉｖｅｄｋ，ｙは、サービングセルｙのサブフレームｎ−ｋ（ｋ∈Ｋｙ）で受信したＰＤＣＣＨの個数または対応するＰＤＣＣＨがないＰＤＳＣＨの個数である。
【０２８４】
１．１．Ｂ
【０２８５】
端末が２個のサービングセルを介してスケジューリングを受けた場合、連続的なＡＣＫの個数が有することができる値を考慮してｎＨＡＲＱを決定することが最適の方法である。しかし、このような方法は、複雑度が大きいという短所がある。
【０２８６】
したがって、Ｍｙの値の変化によってｎＨＡＲＱ値に変化を与えないように、既存Ｍ＝３、４の場合と同じく、ｎＨＡＲＱを決定することができる。
【０２８７】
または、Ｍｘ、Ｍｙ別に最適の方式を使用することができる。即ち、セルｘに対応されるＡＣＫ／ＮＡＣＫの場合、Ｍ＝４または３の場合のように連続的なＡＣＫの個数をチャネル選択方式に送信し、セルｙに対応されるＡＣＫ／ＮＡＣＫは、Ｍ＝１の場合のように送信ブロックの個数によって、２送信ブロックの場合、２個のＡＣＫ／ＮＡＣＫにマッピングし、１送信ブロックの場合、１個のＡＣＫ／ＮＡＣＫにマッピングすることができる。
【０２８８】
１．２．Ａ．最適の電力割当方法
【０２８９】
端末が２個のセルを介してスケジューリングを受けた場合、セルｘに対する連続的なＡＣＫカウンティング個数は、０（４）、１、２、３が可能である。セルｙに対するＡＣＫ／ＮＡＣＫは、２個の送信ブロック受信時、２個のＡＣＫ／ＮＡＣＫを送信し、その候補値は、総４個である（Ａ，Ａ）、（Ａ，Ｎ）、（Ｎ，Ａ）、（Ｎ，Ｎ）である。１個の送信ブロックを受信すると、一つのＡＣＫ／ＮＡＣＫを送信し、その候補値は、総２個であるＡＣＫまたはＮＡＣＫである。
【０２９０】
したがって、各候補値の和は、８（セルｙが２送信ブロック受信時）または６（セルｙが１送信ブロック受信時）になる。したがって、各々の最適ｎＨＡＲＱ＝４または３になる。
【０２９１】
端末が１個のセルを介してのみスケジューリングを受けたとき、セルｘのみスケジューリングを受けた場合は、ｎＨＡＲＱ＝２になり、セルｙのみスケジューリングを受けた場合は、送信ブロックを二つまたは一つ受信するかどうかによって、順に、ｎＨＡＲＱ＝２または１になる。
【０２９２】
これを数式で表現すると、下記の通りである。
【０２９３】
【数１３】
0005965069.tif 000028
【０２９４】
端末がサービングセルｘのサブフレームｎ−ｋ（ｋ∈Ｋｘ）でＤＬ  ＳＰＳ解除ＰＤＣＣＨまたはＰＤＳＣＨを受信すると、ｎｘ＝２である。その以外の場合は、ｎｘ＝０である。Ｎｒｅｃｅｉｖｅｄｋ，ｙは、サービングセルｙのサブフレームｎ−ｋ（ｋ∈Ｋｙ）で受信した送信ブロックのＤＬ  ＳＰＳ解除ＰＤＣＣＨの個数である。
【０２９５】
セルｘに対する連続的なＡＣＫの個数をチャネル選択方式に送信する場合、１）ＤＡＩ＝１であるＰＤＣＣＨに１個のサブフレームのみスケジューリングされる場合（例えば、ＤＡＩ＝１であるＰＤＣＣＨにスケジューリングされるＰＤＳＣＨまたはＤＡＩ＝１であるＤＬ  ＳＰＳ解除ＰＤＣＣＨ）または、２）１個のサブフレームでのみ対応するＰＤＣＣＨがないＰＤＳＣＨ（ＳＰＳ  ＰＤＳＣＨ）を受信した場合、連続的なＡＣＫカウンティング個数は０または１になる。これを反映すると、２個のセルの全てがスケジューリングされる場合は、ｎＨＡＲＱ＝３（セルｙが２送信ブロック送信可能な場合）またはｎＨＡＲＱ＝２（セルｙが１送信ブロック送信可能な場合）になる。そして、セルｘのみスケジューリングを受ける場合は、ｎＨＡＲＱ＝１になる。
【０２９６】
これを数式で表現すると、下記の通りである。
【０２９７】
【数１４】
0005965069.tif 000029
【０２９８】
前記数式において、もし、端末が二つ以上のＰＤＳＣＨを受信すると、ｎｘ＝２である。そして、端末がサービングセルｘのサブフレームｎ−ｋ（ｋ∈Ｋｘ）で対応するＰＤＣＣＨがない一つのＰＤＳＣＨのみを受信し、またはＤＡＩ＝１であるＰＤＣＣＨによりスケジューリングされるＰＤＳＣＨを受信し、またはＤＡＩ＝１であるＤＬ  ＳＰＳ解除ＰＤＣＣＨのみを受信する場合は、ｎｘ＝１である。その以外の場合は、ｎｘ＝０である。Ｎｒｅｃｅｉｖｅｄｋ，ｙは、サービングセルｙのサブフレームｎ−ｋ（ｋ∈Ｋｙ）で受信した送信ブロックの個数または対応するＰＤＣＣＨがないＰＤＳＣＨ（ＳＰＳ解除ＰＤＳＣＨ）の個数である。
【０２９９】
１．２．Ｂ：単純化された電力割当方法。
端末が２個のサービングセルを介してスケジューリングを受けた場合、連続的なＡＣＫの個数が有することができる値を考慮してｎＨＡＲＱを決定することが最適の方法である。しかし、このような方法は、複雑度が大きいという短所がある。したがって、Ｍｙの値の変化によってｎＨＡＲＱ値に変化を与えないように、Ｍ＝４または３の場合と同じく、ｎＨＡＲＱを決定することができる。２個のサービングセルが互いに異なるＵＬ−ＤＬ設定を有してＭ値も異なる場合、図１６を参照して説明した方法によって、ＰＵＣＣＨの送信電力を決定することができる。
【０３００】
Ｉ  Ｉ．（Ｍｘ，Ｍｙ）＝（４，２）または（３，２）である場合
【０３０１】
２．１．Ａ：最適の電力割当方法。
【０３０２】
端末が２個のセルを介してスケジューリングを受けた場合、セルｘに対する連続的なＡＣＫカウンティング個数は、０（４）、１、２、３が可能である。セルｙに対する連続的なＡＣＫカウンティング個数は、０、１、２である。したがって、チャネル選択によって区分可能な総個数は１２になり、最適のｎＨＡＲＱ＝４となる。
【０３０３】
端末が１個のセルを介してのみスケジューリングを受けた場合、セルｘに対する連続的なＡＣＫカウンティング個数は、総４個である０（４）、１、２、３である。したがって、ｎＨＡＲＱ＝２になる。セルｙに対する連続的なＡＣＫカウンティング個数は、０、１、２のように総３個であるため、ｎＨＡＲＱ＝２になる。
【０３０４】
これを数式で表現すると、下記の通りである。
【０３０５】
【数１５】
0005965069.tif 000030
【０３０６】
前記数式において、端末がサービングセルｘのサブフレームｎ−ｋ（ｋ∈Ｋｘ）でＤＬ  ＳＰＳ解除ＰＤＣＣＨまたはＰＤＳＣＨを受信すると、ｎｘ＝２である。その以外の場合は、ｎｘ＝０である。端末がサービングセルｙのサブフレームｎ−ｋ（ｋ∈Ｋｙ）でＤＬ  ＳＰＳ解除ＰＤＣＣＨまたはＰＤＳＣＨを受信すると、ｎｙ＝２である。その以外の場合は、ｎｙ＝０である。
【０３０７】
セルｘに対する連続的なＡＣＫカウンティング個数をチャネル選択方式に送信する場合、１）ＤＡＩ＝１であるＰＤＣＣＨに１個のサブフレームのみスケジューリングされる場合（例えば、ＤＡＩ＝１であるＰＤＣＣＨにスケジューリングされるＰＤＳＣＨまたはＤＡＩ＝１であるＤＬ  ＳＰＳ解除ＰＤＣＣＨ）または、２）１個のサブフレームでのみ対応するＰＤＣＣＨがないＰＤＳＣＨ（ＳＰＳ  ＰＤＳＣＨ）を受信した場合、連続的なＡＣＫカウンティング個数は０または１になる。これを反映すると、２個のセルの全てがスケジューリングされた場合は、ｎＨＡＲＱ＝２（２セルがＤＡＩ＝１の場合）または３（１セルのみがＤＡＩ＝１の場合）、１個のセルのみスケジューリングされた場合は、ｎＨＡＲＱ＝１になる。
【０３０８】
これを数式で表現すると、下記の通りである。
【０３０９】
【数１６】
0005965069.tif 000031
【０３１０】
前記数式において、もし、端末が二つ以上のＰＤＳＣＨを受信すると、ｎｘ＝２である。そして、端末がサービングセルｘのサブフレームｎ−ｋ（ｋ∈Ｋｘ）で対応するＰＤＣＣＨがない一つのＰＤＳＣＨのみを受信し、またはＤＡＩ＝１であるＰＤＣＣＨによりスケジューリングされるＰＤＳＣＨのみを受信し、またはＤＡＩ＝１であるＤＬ  ＳＰＳ解除ＰＤＣＣＨのみを受信する場合は、ｎｘ＝１である。その以外の場合は、ｎｘ＝０である。そして、端末がサービングセルｙのサブフレームｎ−ｋ（ｋ∈Ｋｙ）で二つ以上のＰＤＳＣＨを受信すると、ｎｙ＝２である。または、対応するＰＤＣＣＨがない一つのＰＤＳＣＨのみを受信し、またはＤＡＩ＝１であるＰＤＣＣＨによりスケジューリングされるＰＤＳＣＨのみを受信し、またはＤＡＩ＝１であるＤＬ  ＳＰＳ解除ＰＤＣＣＨのみを受信する場合は、ｎｙ＝１である。その以外の場合は、ｎｙ＝０である。
【０３１１】
２．１．Ｂ：単純化された電力割当方法
【０３１２】
最適の電力割当方法と同じである。
【０３１３】
一方、Ｍｘ、Ｍｙ別に最適の方式を使用することができる。即ち、セルｘに対応されるＡＣＫ／ＮＡＣＫの場合、Ｍ＝４または３の場合のように連続的なＡＣＫの個数をチャネル選択方式に送信し、セルｙに対応されるＡＣＫ／ＮＡＣＫはＭ＝２の場合のように、２個のサブフレームに対する総２個のＡＣＫ／ＮＡＣＫをチャネル選択方式に送信する。各サブフレームに２個の送信ブロックが存在する場合、空間バンドリングされたＡＣＫ／ＮＡＣＫを使用することができる。
【０３１４】
２．２．Ａ：最適の電力割当方法。
【０３１５】
端末が２個のセルを介してスケジューリングを受けた場合、セルｘに対する連続的なＡＣＫカウンティング個数は、総４個である０（４）、１、２、３が可能である。セルｙに実際スケジューリングされたサブフレームの個数によってＡＣＫ／ＮＡＣＫの組合せが変わることができる。２個のサブフレームがスケジューリングを受けたとき、（Ａ，Ａ）、（Ａ，Ｎ）、（Ｎ，Ａ）、（Ｎ，Ｎ）のような４個が可能である。１個のサブフレームのみスケジューリングを受けたとき、そのサブフレームが前のサブフレームの場合、（Ａ，Ｎ）、（Ｎ，Ｎ）が可能であり、後のサブフレームの場合、（Ｎ，Ａ）、（Ｎ，Ｎ）が可能である。したがって、ＡＣＫ／ＮＡＣＫの総個数は４（２個サブフレームがスケジューリングされた場合）になり、または２（１個のサブフレームのみスケジューリングを受けた場合）になる。それによって、総ＡＣＫ／ＮＡＣＫの組合せは、８または６になる。したがって、最適のｎＨＡＲＱ＝４または３になる。
【０３１６】
端末が１個のセルを介してのみスケジューリングを受ける場合、セルｘに対する連続的なＡＣＫカウンティング個数は、総４個である０（４）、１、２、３が可能である。したがって、ｎＨＡＲＱ＝２になる。セルｙに対する連続的なＡＣＫカウンティング個数は、０、１、２のように総３個であるため、ｎＨＡＲＱ＝２になる。
【０３１７】
スケジューリングされたサブフレームの個数は、ＤＬ  ＤＡＩを介して類推されたものを含むことができる。
【０３１８】
これを数式で表現すると、下記の通りである。
【０３１９】
【数１７】
0005965069.tif 000032
【０３２０】
前記数式において、端末がサービングセルｘのサブフレームｎ−ｋ（ｋ∈Ｋｘ）でＰＤＳＣＨまたはＤＬ  ＳＰＳ解除ＰＤＣＣＨを受信すると、ｎｘ＝２である。その以外の場合は、ｎｘ＝０である。ＶＤＬＤＡＩ，ｙは、サービングセルｙのＶＤＬＤＡＩを示す。ＵＤＡＩ，ｙは、サービングセルｙのＵＤＡＩである。ｎＡＣＫｙは、サービングセルｙに設定されたＤＬ送信モードに対応するＡＣＫ／ＮＡＣＫビットの個数である。ＡＣＫ／ＮＡＣＫに空間バンドリングが適用される場合、ｎＡＣＫｙ＝１である。そして、Ｎｒｅｃｅｉｖｅｄｋ，ｙは、サービングセルｙのサブフレームｎ−ｋ（ｋ∈Ｋｙ）で受信したＰＤＣＣＨの個数または対応するＰＤＣＣＨがないＰＤＳＣＨの個数である。サービングセルｙのサブフレームｎ−ｋ（ｋ∈Ｋｙ）で送信ブロックまたはＳＰＳ解除ＰＤＣＣＨが検出されない場合、ＶＤＬＤＡＩ，ｙは０である。
【０３２１】
セルｘに対する連続的なＡＣＫの個数をチャネル選択方式に送信する場合、１）ＤＡＩ＝１であるＰＤＣＣＨに１個のサブフレームのみスケジューリングされる場合（例えば、ＤＡＩ＝１であるＰＤＣＣＨにスケジューリングされるＰＤＳＣＨまたはＤＡＩ＝１であるＤＬ  ＳＰＳ解除ＰＤＣＣＨ）または、２）１個のサブフレームでのみ対応するＰＤＣＣＨがないＰＤＳＣＨ（ＳＰＳ  ＰＤＳＣＨ）を受信した場合、連続的なＡＣＫカウンティング個数は０または１になる。これを反映すると、２個のセルの全てがスケジューリングされる場合は、ｎＨＡＲＱ＝４（セルｙで２個のサブフレームがスケジューリングされた場合）またはｎＨＡＲＱ＝３（セルｙで１個のサブフレームのみスケジューリングされた場合）になる。
【０３２２】
これを数式で表現すると、下記の通りである。
【０３２３】
【数１８】
0005965069.tif 000033
【０３２４】
前記数式において、端末が二つ以上のＰＤＳＣＨを受信すると、ｎｘ＝２である。端末がサービングセルｘのサブフレームｎ−ｋ（ｋ∈Ｋｘ）で対応するＰＤＣＣＨがない一つのＰＤＳＣＨのみを受信し、またはＤＡＩ＝１であるＰＤＣＣＨによりスケジューリングされる一つのＰＤＳＣＨのみを受信し、またはＤＡＩ＝１であるＤＬ  ＳＰＳ解除ＰＤＣＣＨを受信すると、ｎｘ＝１である。その以外の場合は、ｎｘ＝０である。ＶＤＬＤＡＩ，ｙは、サービングセルｙのＶＤＬＤＡＩを示す。ＵＤＡＩ，ｙは、サービングセルｙのＵＤＡＩである。ｎＡＣＫｙは、サービングセルｙに設定されたＤＬ送信モードに対応するＡＣＫ／ＮＡＣＫビットの個数である。ＡＣＫ／ＮＡＣＫに空間バンドリングが適用される場合、ｎＡＣＫｙ＝１である。そして、Ｎｒｅｃｅｉｖｅｄｋ，ｙは、サービングセルｙのサブフレームｎ−ｋ（ｋ∈Ｋｙ）で受信したＰＤＣＣＨの個数または対応するＰＤＣＣＨがないＰＤＳＣＨの個数である。サービングセルｙのサブフレームｎ−ｋ（ｋ∈Ｋｙ）で送信ブロックまたはＳＰＳ解除ＰＤＣＣＨが検出されない場合、ＶＤＬＤＡＩ，ｙは０である。
【０３２５】
２．２．Ｂ：単純化された電力割当方法。
【０３２６】
端末が２個のサービングセルを介してスケジューリングを受けた場合、連続的なＡＣＫの個数が有することができる値を考慮してｎＨＡＲＱを決定することが最適の方法である。しかし、このような方法は、複雑度が大きいという短所がある。したがって、Ｍｙの値の変化によってｎＨＡＲＱ値に変化を与えないように、既存Ｍ＝４または３の場合と同じく、ｎＨＡＲＱを決定することができる。
【０３２７】
前述したＩ及びＩ  ＩのようにＭ＝ｍａｘ（Ｍｘ，Ｍｘ）≧３の場合は、統合して最適の電力割当方法を適用することができる。即ち、互いに異なるＴＤＤ設定を有するセル間のアグリゲーションで、互いに異なる組合せのＭ値が各セル別に発生できる。したがって、同じＵＬ−ＤＬ設定を有するキャリアアグリゲーションより最適の方法を適用する必要性があり、下記のような方法を利用することができる。
【０３２８】
ＡＬＴ  Ｘ１：ＤＡＩに基づく場合
【０３２９】
【数１９】
0005965069.tif 000034
【０３３０】
ＡＬＴ  Ｘ２：
【０３３１】
【数２０】
0005965069.tif 000035
【０３３２】
ＡＬＴ  Ｙ：受信されたＰＤＳＣＨの個数のみに基づく場合
【０３３３】
【数２１】
0005965069.tif 000036
【０３３４】
セカンダリセルにＳＰＳスケジューリングが許容されない場合、セカンダリセルのＮＳＰＳ，ｃは常に０になる。
【０３３５】
前述した方法は、セルのＵＬ−ＤＬ設定が異なる場合に常に適用することもでき、ＭｘとＭｙが異なる場合にのみ適用することもできる。
【０３３６】
ＩＩＩ．（Ｍｘ，Ｍｙ）＝（２，１）である場合
【０３３７】
Ｍ＝ｍａｘ（Ｍｘ，Ｍｙ）によって、２個のセル間に同じＭ＝２のチャネル選択方式を使用する。即ち、各サブフレームに対して一つずつのＡＣＫ／ＮＡＣＫ（１個のサブフレームに２個の送信ブロックが受信可能な場合、空間バンドリングを適用して一つのＡＣＫ／ＮＡＣＫ生成）をマッピングして総３個のサブフレームに対するＡＣＫ／ＮＡＣＫを生成する。
【０３３８】
したがって、４個のＰＵＣＣＨリソースを利用したチャネル選択方式において、セルｙの２番目のサブフレームに対するＡＣＫ／ＮＡＣＫビット（ＨＡＲＱ−ＡＣＫ（３））を常にＮＡＣＫに対応させて使用することができる。
【０３３９】
または、３個のＰＵＣＣＨリソースを利用したチャネル選択方式において、ＨＡＲＱ−ＡＣＫ（０）は、セルｘの１番目のサブフレームのＡＣＫ／ＮＡＣＫを対応させ、ＨＡＲＱ−ＡＣＫ（１）は、セルｘの２番目のサブフレームのＡＣＫ／ＮＡＣＫを対応させ、ＨＡＲＱ−ＡＣＫ（２）は、セルｙの１番目のサブフレームに対するＡＣＫ／ＮＡＣＫを対応させることができる。
【０３４０】
３．１．Ａ：最適の電力割当方法。
【０３４１】
端末が２個のセルを介してスケジューリングを受けた場合、セルｘに実際スケジューリングを受けたサブフレームの個数によってＡＣＫ／ＮＡＣＫ組合せの個数が決定される。２個のサブフレームをスケジューリングを受けた場合、（Ａ，Ａ）、（Ａ，Ｎ）、（Ｎ，Ａ）、（Ｎ，Ｎ）のような４個の組合せが可能であり、１個のサブフレームのみスケジューリングを受けた場合、そのサブフレームが前のサブフレームの場合、（Ａ，Ｎ）、（Ｎ，Ｎ）になり、後のサブフレームの場合、（Ｎ，Ａ）、（Ｎ，Ｎ）になる。総組合せの個数は４（２個のサブフレームをスケジューリングを受けた場合）、または２（１個のサブフレームのみスケジューリングを受けた場合）になる。
【０３４２】
セルｙに実際スケジューリングを受けたサブフレームの個数は最大１個であるため、ＡＣＫ、ＮＡＣＫの２個の組合せのみが可能である。したがって、仮定することができる総組合せの個数は８になり、最適のｎＨＡＲＱ＝３（セルｘ、ｙで順に２個、１個のサブフレームがスケジューリングされた場合）、またはｎＨＡＲＱ＝２（セルｘで１個のサブフレーム、セルｙで１個のサブフレームがスケジューリングされた場合）になる。
【０３４３】
端末が１個のセルを介してのみスケジューリングを受けた場合、セルｘに対するＡＣＫ／ＮＡＣＫの組合せの個数によって、ｎＨＡＲＱ＝２またはｎＨＡＲＱ＝１になる。
【０３４４】
スケジューリングされたサブフレームの個数は、ＤＬ  ＤＡＩを介して類推されるものも含む。
【０３４５】
前述した過程を数式で表現すると、下記のように示すことができる。セルｙのスケジューリング時にＤＡＩを受信することができる場合またはＤＡＩ値を１と仮定した場合である。
【０３４６】
【数２２】
0005965069.tif 000037
【０３４７】
前記数式において、ＶＤＬＤＡＩ，ｃは、サービングセルｃのＶＤＬＤＡＩを示す。ＵＤＡＩ，ｃは、サービングセルｃのＵＤＡＩである。ｎＡＣＫｃは、サービングセルｃに設定されたＤＬ送信モードに対応するＡＣＫ／ＮＡＣＫビットの個数である。ＡＣＫ／ＮＡＣＫに空間バンドリングが適用される場合、ｎＡＣＫｃ＝１である。そして、Ｎｒｅｃｅｉｖｅｄｋ，ｃは、サービングセルｃのサブフレームｎ−ｋ（ｋ∈Ｋｃ）で受信したＰＤＣＣＨの個数または対応するＰＤＣＣＨがないＰＤＳＣＨの個数である。Ｍｃは、Ｋｃの要素の個数である。ＡＣＫ／ＮＡＣＫに空間バンドリングが適用されない場合、Ｎｒｅｃｅｉｖｅｄｋ，ｃは、サービングセルｃのサブフレームｎ−ｋ（ｋ∈Ｋｃ）で受信した送信ブロックの個数またはＳＰＳ解除ＰＤＣＣＨの個数である。Ｍｃは、Ｋｃの要素の個数である。サービングセルｃのサブフレームｎ−ｋ（ｋ∈Ｋｃ）で送信ブロックまたはＳＰＳ解除ＰＤＣＣＨを検出することができない場合、ＶＤＬＤＡＩ，ｃ＝０である。
【０３４８】
セルｙのＤＡＩを活用しない場合は、下記のように示すことができる。
【０３４９】
【数２３】
0005965069.tif 000038
【０３５０】
前記数式において、ＶＤＬＤＡＩ，ｘは、サービングセルｘのＶＤＬＤＡＩを示す。ＵＤＡＩ，ｘは、サービングセルｘのＵＤＡＩである。ｎＡＣＫｘは、サービングセルｘに設定されたＤＬ送信モードに対応するＡＣＫ／ＮＡＣＫビットの個数である。ＡＣＫ／ＮＡＣＫに空間バンドリングが適用される場合、ｎＡＣＫｘ＝１である。そして、Ｎｒｅｃｅｉｖｅｄｋ，ｃは（ｃはｘまたはｙ）、サービングセルｃのサブフレームｎ−ｋ（ｋ∈Ｋｃ）で受信したＰＤＣＣＨの個数または対応するＰＤＣＣＨがないＰＤＳＣＨの個数である。Ｍｃは、Ｋｃの要素の個数である。ＡＣＫ／ＮＡＣＫに空間バンドリングが適用されない場合、Ｎｒｅｃｅｉｖｅｄｋ，ｃは、サービングセルｃのサブフレームｎ−ｋ（ｋ∈Ｋｃ）で受信した送信ブロックの個数またはＳＰＳ解除ＰＤＣＣＨの個数である。Ｍｃは、Ｋｃの要素の個数である。サービングセルｘのサブフレームｎ−ｋ（ｋ∈Ｋｘ）で送信ブロックまたはＳＰＳ解除ＰＤＣＣＨを検出することができない場合、ＶＤＬＤＡＩ，ｘ＝０である。
【０３５１】
３．１．Ｂ：単純化された電力割当方法。
【０３５２】
Ｍｘ、Ｍｙの値の変化によってｎＨＡＲＱ値に変化を与えないように、既存Ｍ＝４または３の場合と同じく、ｎＨＡＲＱを決定することができる。
【０３５３】
Ｍｘ、Ｍｙ別に最適の方式を使用することができる。即ち、セルｘに対応されるＡＣＫ／ＮＡＣＫの場合、Ｍ＝２の場合のように各サブフレームに対して一つずつのＡＣＫ／ＮＡＣＫ（１個のサブフレームに２個の送信ブロックが受信可能な場合、空間バンドリングを適用して一つのＡＣＫ／ＮＡＣＫ生成）をマッピングし、セルｙに対応されるＡＣＫ／ＮＡＣＫの場合、Ｍ＝１の場合のように、送信ブロック個数によって、２個のＡＣＫ／ＮＡＣＫ（２個の送信ブロックである場合）にマッピングさせ、１個のＡＣＫ／ＮＡＣＫ（１個の送信ブロックである場合）にマッピングさせる。
【０３５４】
３．２．Ａ：最適の電力割当方法。
【０３５５】
端末が２個のセルを介してスケジューリングを受けた場合、セルｘに実際スケジューリングされたサブフレームの個数によってＡＣＫ／ＮＡＣＫ組合せの個数が決定される。２個のサブフレームをスケジューリングを受けた場合、（Ａ，Ａ）、（Ａ，Ｎ）、（Ｎ，Ａ）、（Ｎ，Ｎ）のような４個の組合せが可能であり、２個のサブフレームのうち１個のサブフレームのみスケジューリングを受けた場合、そのサブフレームが前のサブフレームの場合、（Ａ，Ｎ）、（Ｎ，Ｎ）になり、後のサブフレームの場合、（Ｎ，Ａ）、（Ｎ，Ｎ）になる。総組合せの個数は４（２個のサブフレームをスケジューリングを受けた場合）、または２（１個のサブフレームのみスケジューリングを受けた場合）になる。１個の送信ブロックを受信し、または制御チャネルに対するＡＣＫ／ＮＡＣＫ応答時は、２個の組合せであるＡＣＫまたはＮＡＣＫになる。したがって、仮定することができる総組合せの個数は、８（セルｙが２個の送信ブロック受信可能な場合）、または６（セルｙが１個の送信ブロック受信可能な場合）になるため、順に最適のｎＨＡＲＱ＝４または３になる。
【０３５６】
端末が１個のセルを介してのみスケジューリングを受けた場合、セルｘに対するＡＣＫ／ＮＡＣＫの組合せの個数によってｎＨＡＲＱ＝２またはｎＨＡＲＱ＝１になり、セルｙに対するＡＣＫ／ＮＡＣＫ組合せの個数によってｎＨＡＲＱ＝２またはｎＨＡＲＱ＝１になる。
【０３５７】
スケジューリングされたサブフレームの個数は、ＤＬ  ＤＡＩを介して類推されるものも含む。
【０３５８】
前記過程を数式で示すと、ＡＬＴ  ３．１Ａの数式と同じである。１個の送信ブロックを受信するか、または２個の送信ブロックを受信するかによって、Ｎｒｅｃｅｉｖｅｄｋ，ｃの定義が変わり、ｎＨＡＲＱ値に反映される。
【０３５９】
３．２．Ｂ：単純化された電力割当方法。
【０３６０】
Ｍｘ、Ｍｙの値の変化によってｎＨＡＲＱ値に変化を与えないように、既存Ｍ＝４または３の場合と同じく、ｎＨＡＲＱを決定することができる。
【０３６１】
セルｘは、スケジューリングされたサブフレームの個数によって、ｎＨＡＲＱ＝１または２にし、セルｙの送信モード変化によってｎＨＡＲＱに変化を与えないために、セルｙがスケジューリングされた場合は、常にｎＨＡＲＱ＝２にすることができる。
【０３６２】
セルｘは、スケジューリングされたサブフレームの個数によって、ｎＨＡＲＱに変化を与えないために、セルｙがスケジューリングされた場合は、常にｎＨＡＲＱ＝２にし、セルｙの送信ブロックの数変化によって、ｎＨＡＲＱ＝２（２個の送信ブロック受信可能な場合）または１（１個の送信ブロック受信可能な場合）にすることができる。
【０３６３】
ＩＶ．（Ｍｘ，Ｍｙ）＝（４，０）または（３，０）である場合
【０３６４】
この場合は、（Ｍｘ，Ｍｙ）＝（４，１）または（３，１）である場合と同じ方法を適用することができる。ただし、セルｙにより発生できるＡＣＫ／ＮＡＣＫ組合せは０になり、セルｙがスケジューリングされない場合と同じく取扱うことができる。セルｙと関連した値は、０に設定する。
【０３６５】
Ｖ．（Ｍｘ，Ｍｙ）＝（２，０）である場合
【０３６６】
この場合は、（Ｍｘ，Ｍｙ）＝（２，１）である場合と同じ方法を適用することができる。ただし、セルｙにより発生できるＡＣＫ／ＮＡＣＫ組合せは０になり、セルｙがスケジューリングされない場合と同じく取扱うことができる。セルｙと関連した値は、０に設定する。
【０３６７】
一方、前記ＩＶ及びＶのように、Ｍｘ、Ｍｙのうちいずれか一つが０になる場合、セルｘに対して単一アンテナ設定時に設定されるチャネル選択方法を適用し、このとき、選択的に使われるＰＵＣＣＨフォーマット１ｂリソースの個数は、Ｍｘ個である表を利用することができる。（Ｍｘ，Ｍｙ）の組合せ別に最適の電力割当方法は、下記の通りである。
【０３６８】
Ａ．（Ｍｘ，Ｍｙ）＝（４，０）、（３，０）、または（２，０）である場合
【０３６９】
Ａ．１：ｎＨＡＲＱ＝Ｍｘに設定する。セルｙは、スケジューリングされないものであるため、発生可能なＡＣＫ／ＮＡＣＫ組合せと関係がない。したがって、電力割当に考慮しない。
【０３７０】
単一セル設定時のチャネル選択では、常にＡＣＫ／ＮＡＣＫを空間バンドルするため、Ｍｘ個のサブフレーム区間で最大で発生可能なＡＣＫ／ＮＡＣＫ組合せの個数は２Ｍｘになる。即ち、実際スケジューリングに基づく最適の組合せではなく、Ｍｘによる最大電力を設定する。Ｍｘの変化によって電力を設定することによって、該当端末の特定ＵＬサブフレームで発生できるＭｘの最大値に合わせて電力設定することを避けることができる。
【０３７１】
Ａ．２：最適の電力割当方法
【０３７２】
Ａ．２．１：最適の電力割当方法
【０３７３】
端末がセルｘで実際スケジューリングを受けたサブフレームの個数によって、０、１、ｍ，．．．，Ｍｘになることができる。したがって、仮定することができる総ＡＣＫ／ＮＡＣＫ組合せは、２ｍになる。この場合、最適のｎＨＡＲＱ＝ｍになる。
【０３７４】
スケジューリングされたサブフレームの個数を判断する時、ＤＬ  ＤＡＩを介して類推することができるものも含む。
【０３７５】
ＤＬ  ＤＡＩを介して類推することができるサブフレームの個数に基づく数式は、下記の通りである。
【０３７６】
【数２４】
0005965069.tif 000039
【０３７７】
前記数式において、ＶＤＬＤＡＩ，ｃは、サービングセルｃのＶＤＬＤＡＩを示す。ＵＤＡＩ，ｃは、サービングセルｃのＵＤＡＩである。ｎＡＣＫｃは、サービングセルｃに設定されたＤＬ送信モードに対応するＡＣＫ／ＮＡＣＫビットの個数である。ＡＣＫ／ＮＡＣＫに空間バンドリングが適用される場合、ｎＡＣＫｃ＝１である。そして、Ｎｒｅｃｅｉｖｅｄｋ，ｃは、サービングセルｃのサブフレームｎ−ｋ（ｋ∈Ｋｃ）で受信したＰＤＣＣＨの個数または対応するＰＤＣＣＨがないＰＤＳＣＨの個数である。Ｍｃは、Ｋｃの要素の個数である。ＡＣＫ／ＮＡＣＫに空間バンドリングが適用されない場合、Ｎｒｅｃｅｉｖｅｄｋ，ｃは、サービングセルｃのサブフレームｎ−ｋ（ｋ∈Ｋｃ）で受信した送信ブロックの個数またはＳＰＳ解除ＰＤＣＣＨの個数である。Ｍｃは、Ｋｃの要素の個数である。サービングセルｃのサブフレームｎ−ｋ（ｋ∈Ｋｃ）で送信ブロックまたはＳＰＳ解除ＰＤＣＣＨを検出することができない場合、ＶＤＬＤＡＩ，ｃ＝０である。
【０３７８】
一方、ｎＨＡＲＱは、下記のように示すこともできる。
【０３７９】
【数２５】
0005965069.tif 000040
【０３８０】
前記数式において、セカンダリセルにＳＰＳが許容されない場合、セカンダリセルのＮＳＰＳ，ｃは、常に０である。
【０３８１】
ＤＡＩを考慮しない場合、ｎＨＡＲＱは、下記のように示すこともできる。
【０３８２】
【数２６】
0005965069.tif 000041
【０３８３】
一方、セルｘのみを考慮すると、下記のようにｎＨＡＲＱを示すことができる。
【０３８４】
【数２７】
0005965069.tif 000042
【０３８５】
前記数式において、ＶＤＬＤＡＩ，ｘは、サービングセルｘのＶＤＬＤＡＩを示す。ＵＤＡＩ，ｘは、サービングセルｘのＵＤＡＩである。ｎＡＣＫｘは、サービングセルｘに設定されたＤＬ送信モードに対応するＡＣＫ／ＮＡＣＫビットの個数である。ＡＣＫ／ＮＡＣＫに空間バンドリングが適用される場合、ｎＡＣＫｘ＝１である。そして、Ｎｒｅｃｅｉｖｅｄｋ，ｘは、サービングセルｘのサブフレームｎ−ｋ（ｋ∈Ｋｘ）で受信したＰＤＣＣＨの個数または対応するＰＤＣＣＨがないＰＤＳＣＨの個数である。Ｍｘは、Ｋｘの要素の個数である。ＡＣＫ／ＮＡＣＫに空間バンドリングが適用されない場合、Ｎｒｅｃｅｉｖｅｄｋ，ｘは、サービングセルｘのサブフレームｎ−ｋ（ｋ∈Ｋｘ）で受信した送信ブロックの個数またはＳＰＳ解除ＰＤＣＣＨの個数である。Ｍｘは、Ｋｘの要素の個数である。サービングセルｘのサブフレームｎ−ｋ（ｋ∈Ｋｘ）で送信ブロックまたはＳＰＳ解除ＰＤＣＣＨを検出することができない場合、ＶＤＬＤＡＩ，ｘ＝０である。
【０３８６】
セルｘのみを考慮してｎＨＡＲＱを下記のように示すこともできる。
【０３８７】
【数２８】
0005965069.tif 000043
【０３８８】
前記数式において、セカンダリセルにＳＰＳが許容されない場合、セカンダリセルのＮＳＰＳ，ｃは、常に０である。
【０３８９】
ＤＡＩを考慮せずにセルｘのみを考慮する場合、ｎＨＡＲＱは、下記のように示すこともできる。
【０３９０】
【数２９】
0005965069.tif 000044
【０３９１】
Ｂ．（Ｍｘ，Ｍｙ）＝（１，０）である場合
【０３９２】
この場合は、ＰＵＣＣＨフォーマット１ｂが使われるため、ｎＨＡＲＱは、該当サブフレームで送信されるＡＣＫ／ＮＡＣＫビット数に設定される。
【０３９３】
前記Ａ及びＢで記述した方法は、端末が単一セルが割り当てられた時、チャネル選択を適用する場合も適用されることができる。チャネル選択に送信ダイバーシティ（ｓｐａｔｉａｌ  ｏｒｔｈｏｇｏｎａｌ  ｒｅｓｏｕｒｃｅ  ｔｒａｎｓｍｉｔ  ｄｉｖｅｒｓｉｔｙ：ＳＯＲＴＤ）が適用される場合に限定して適用できる。即ち、ＴＤＤの単一セルに対するチャネル選択の場合、単一アンテナポート送信時は、送信ビット数を基準にしてｎＨＡＲＱを決定し、２個のアンテナポート送信時は、端末が実際受信したＰＤＳＣＨの個数を基準にｎＨＡＲＱを決定することができる。
【０３９４】
互いに異なるＵＬ−ＤＬ設定を有するＴＤＤセルのアグリゲーションをサポートすることができる端末に限って適用できる。該当端末は、単一セル設定で常に適用し、または使用可否をＲＲＣメッセージを介して指示を受けることができる。
【０３９５】
以下の表は、ＥＴＵ  ３ｋｍであるチャネルで、２Ｒｘアンテナ使用時、Ｍ＝４、チャネル選択を利用するＰＵＣＣＨフォーマット１ｂ状況で、単一アンテナポート（ｓｉｎｇｌｅ  ａｎｔｅｎｎａ  ｐｏｒｔ：ＳＡＰ）送信時とＳＯＲＴＤを使用して２個のアンテナポート送信時に要求されるＳＮＲである。
【０３９６】
【表１３】
0005965069.tif 000045
【０３９７】
既存ＳＡＰの場合、ｎＨＡＲＱは、Ｍ値を基準に設定されるため、ｎＨＡＲＱ＝４になり、常に−６．２ｄＢに合わせて送信電力が設定される。端末は、実際スケジューリングを受けたＰＤＳＣＨ個数が４以下である場合、例えば、２の場合、−７．５ｄＢに合わせるため、不要な電力を消耗するようになって、これは同じ周波数リソースを使用する端末に干渉として作用するようになって全体的なシステム性能低下を誘発する。
【０３９８】
特に、ＳＯＲＴＤを使用する場合もｎＨＡＲＱをＭを基準にする場合は、−７．２ｄＢに合わせて送信電力を設定するようになり、２個のＰＤＳＣＨのスケジューリングが大部分である場合、ＳＡＰ送信電力を−７．５ｄＢに合わせて設定することができるため、追加的なリソースを使用するようになるＳＯＲＴＤを使用して送信電力を浪費する理由がない。
【０３９９】
したがって、最小限のＳＯＲＴＤを使用する場合も、実際受信したＰＤＳＣＨの個数に合わせてｎＨＡＲＱ値を設定することが好ましい。既存ＬＴＥ  Ｒｅｌ  ８乃至１０のＴＤＤ単一セルチャネル選択時、ＳＡＰ送信の場合、Ｍを基準にｎＨＡＲＱを設定した。したがって、ＬＴＥ  Ｒｅｌ−１１でのみｎＨＡＲＱを設定するにはバージョンに従属的な追加的なシグナリングが必要であるに対し、ＴＤＤ単一セルチャネル選択時、ＳＯＲＴＤ送信の場合、ＬＴＥ  Ｒｅｌ−１１から適用されるため、これに対するｎＨＡＲＱを実際受信したＰＤＳＣＨ基準に設定することは、別途の追加的なシグナリングが必要でない。
【０４００】
一方、単純化された電力割当方法は、互いに異なるＵＬ−ＤＬ設定を有するセルのアグリゲーションに常に適用し、または（Ｍｘ，Ｍｙ）＝（１：１）でない場合に常に適用し、またはＭｘ＝Ｍｙでない場合に常に適用できる。
【０４０１】
図１７は、本発明の実施例に係る基地局及び端末の構成を示す。
【０４０２】
基地局１００は、プロセッサ（ｐｒｏｃｅｓｓｏｒ）１１０、メモリ（ｍｅｍｏｒｙ）１２０及びＲＦ部（ＲＦ（ｒａｄｉｏ  ｆｒｅｑｕｅｎｃｙ）ｕｎｉｔ）１３０を含む。プロセッサ１１０は、提案された機能、過程及び／または方法を具現する。メモリ１２０は、プロセッサ１１０と連結され、プロセッサ１１０を駆動するための多様な情報を格納する。ＲＦ部１３０は、プロセッサ１１０と連結され、無線信号を送信及び／または受信する。
【０４０３】
端末２００は、プロセッサ２１０、メモリ２２０及びＲＦ部２３０を含む。プロセッサ２１０は、提案された機能、過程及び／または方法を具現する。メモリ２２０は、プロセッサ２１０と連結され、プロセッサ２１０を駆動するための多様な情報を格納する。ＲＦ部２３０は、プロセッサ２１０と連結され、無線信号を送信及び／または受信する。
【０４０４】
プロセッサ１１０、２１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／またはベースバンド信号及び無線信号を相互変換する変換器を含むことができる。メモリ１２０、２２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部１３０、２３０は、無線信号を送信及び／または受信する一つ以上のアンテナを含むことができる。実施例がソフトウェアで具現される時、前述した技法は、前述した機能を遂行するモジュール（過程、機能など）で具現されることができる。モジュールは、メモリ１２０、２２０に格納され、プロセッサ１１０、２１０により実行されることができる。メモリ１２０、２２０は、プロセッサ１１０、２１０の内部または外部にあり、よく知られた多様な手段によりプロセッサ１１０、２１０と連結されることができる。
【図１】
0005965069.tif 000048
【図２】
0005965069.tif 000049
【図３】
0005965069.tif 000050
【図４】
0005965069.tif 000051
【図５】
0005965069.tif 000052
【図６】
0005965069.tif 000053
【図７】
0005965069.tif 000054
【図８】
0005965069.tif 000055
【図９】
0005965069.tif 000056
【図１０】
0005965069.tif 000057
【図１１】
0005965069.tif 000058
【図１２】
0005965069.tif 000059
【図１３】
0005965069.tif 000060
【図１４】
0005965069.tif 000061
【図１５】
0005965069.tif 000062
【図１６】
0005965069.tif 000063
【図１７】
0005965069.tif 000064